(57)【要約】  ユーザが端末を操作してＴＶ番組録画装置内の番組データ等の情報更新の確認をせずに録画番組情報を自動的に得ることができる情報処理端末、ＴＶ番組録画装置、情報処理方法および情報処理プログラムを提供する。情報処理端末１０６は、ＴＶ番組録画装置１０３に固有な録画番組情報を取得するための取得先情報を管理し、自動的に取得先にアクセスし、録画番組情報を取得し、録画番組情報により各番組をそれぞれの属するカテゴリに分類して選択可能に提示する。情報処理端末１０６は、提示された番組のうちユーザにより選択された番組の再生指示を、直接または間接的にＴＶ番組録画装置１０３に与え、再生指示を受けたＴＶ番組録画装置１０３に、いずれかの再生装置１０２に選択された番組のデータを配信させ、番組を再生させる。
2008075618.tif 000002
【特許請求の範囲】
【請求項１】
ＴＶ番組録画装置に録画される録画番組の情報であって前記ＴＶ番組録画装置に固有な録画番組情報を取得するための取得先情報を管理する取得先情報管理部と、
前記管理されている取得先情報に基づいて、自動的に前記取得先にアクセスし、前記録画番組情報を取得する録画番組情報取得部と、
前記録画番組情報により特定される各番組をそれぞれの属するカテゴリに分類する録画番組情報分類部と、
前記各番組の属するカテゴリを表示し、かつ前記各番組を選択可能に提示する録画番組情報提示部と、
前記提示された番組のうちユーザにより選択された番組の再生指示を、直接または間接的に前記ＴＶ番組録画装置に与える再生指示部と、を備え、
前記再生指示を受けたＴＶ番組録画装置に、いずれかの再生装置に前記選択された番組のデータを配信させ、番組を再生させることを特徴とする情報処理端末。
【請求項２】
前記取得先情報管理部は、前記録画番組情報を取得するための取得先情報とともに、ハイパーメディアの更新情報を取得するための取得先情報を管理し、
前記録画番組情報取得部は、前記更新情報の取得先情報に基づいて、自動的に取得先にアクセスし、前記更新情報を取得し、
前記録画番組情報提示部は、前記ハイパーメディアの情報を前記各番組の提示と同一のインタフェース上で選択可能に提示し、
ユーザにより前記ハイパーメディアの情報が選択された場合には、ブラウザを起動し前記選択された情報に係る取得先にアクセスすることを特徴とする請求項１に記載の情報処理端末。
【請求項３】
前記取得先情報は、前記ＴＶ番組録画装置の情報を含み、
前記録画番組情報取得部は、前記取得先情報に基づいて、自動的に前記ＴＶ番組録画装置にアクセスし、前記録画番組情報を取得することを特徴とする請求項１または請求項２に記載の情報処理端末。
【請求項４】
前記取得先情報は、前記ＴＶ番組録画装置と接続された録画番組情報配信サーバの情報を含み、
前記録画番組情報取得部は、前記取得先情報に基づいて、自動的に前記録画番組情報配信サーバにアクセスし、前記録画番組情報を取得することを特徴とする請求項１から請求項３のいずれかに記載の情報処理端末。
【請求項５】
前記録画番組情報は、番組のタイトル、静止画または動画から構成されるサムネイル、番組の録画日時および放送チャネルの情報を含み、
前記録画番組情報提示部は、前記録画番組情報として取得された情報のうち、番組のタイトル、静止画もしくは動画から構成されるサムネイル、番組の録画日時または放送チャネルの情報のいずれかを用いて、前記録画番組情報により特定される番組を提示することを特徴とする請求項１から請求項４のいずれかに記載の情報処理端末。
【請求項６】
前記録画番組情報は、少なくとも番組の録画日時の情報を含み、
前記録画番組情報分類部は、前記録画番組情報に含まれる録画日時の情報に基づき、前記最近録画された番組を、最近録画された番組のカテゴリとして分類し、
前記録画番組情報提示部は、前記最近録画された番組を、最近録画された番組のカテゴリとして一覧にして提示することを特徴とする請求項１から請求項５のいずれかに記載の情報処理端末。
【請求項７】
番組ごとに再生履歴を管理する再生履歴管理部をさらに備え、
前記録画番組情報分類部は、前記再生履歴管理部を参照して、未再生の番組として管理されている番組と、既再生の番組として管理されている番組とを分類し、
前記録画番組情報提示部は、前記分類の結果から前記未再生と既再生とがユーザに識別できるように前記各番組を提示することを特徴とする請求項１から請求項６のいずれかに記載の情報処理端末。
【請求項８】
番組ごとに再生履歴を管理する再生履歴管理部をさらに備え、
前記録画番組情報分類部は、前記再生履歴管理部を参照して、未再生の番組として管理された番組と、既再生の番組として管理された番組とを分類し、
前記録画番組情報提示部は、前記分類の結果から前記各カテゴリ内の未再生番組の番組数を、前記各カテゴリに対応付けて提示することを特徴とする請求項１から請求項６のいずれかに記載の情報処理端末。
【請求項９】
番組ごとに再生履歴を管理する再生履歴管理部をさらに備え、
前記録画番組情報分類部は、前記再生履歴管理部を参照して、未再生の番組として管理された番組と、既再生の番組として管理された番組とを分類し、
前記録画番組情報提示部は、前記分類の結果から、前記未再生の番組のみを提示することを特徴とする請求項１から請求項６のいずれかに記載の情報処理端末。
【請求項１０】
再生の中断された番組およびその番組の再生が中断された中断位置の情報を、番組ごとの再生履歴として管理する再生履歴管理部をさらに備え、
前記録画番組情報分類部は、前記再生履歴管理部を参照して、前記再生を中断された番組と再生を中断されてない番組とを分類し、
前記録画番組情報提示部は、前記分類の結果から、前記再生を中断された番組を、再生を中断されてない番組に対してユーザが識別できる態様で提示し、
前記再生指示部は、前記再生を中断された番組のうちの１つがユーザにより選択されたときに、前記中断位置またはその付近から前記選択された番組を再生するための再生指示を前記ＴＶ番組録画装置に与えることを特徴とする請求項１から請求項６のいずれかに記載の情報処理端末。
【請求項１１】
前記再生履歴管理部は、前記再生を中断された番組および中断位置の情報に加えて、中断位置付近における静止画または動画から構成されるサムネイルの情報を管理し、
前記録画番組情報提示部は、前記再生履歴管理部を参照して、前記中断位置付近のサムネイルを表示するとともに、前記再生を中断した番組を提示することを特徴とする請求項１０に記載の情報処理端末。
【請求項１２】
ユーザにより指定された再生の開始位置の情報を、前記開始位置が指定された番組に対応付けて管理する指定位置管理部をさらに備え、
前記録画番組情報提示部は、前記指定位置管理部を参照し、前記開始位置が指定された番組を、前記再生開始位置が指定されていない番組に対してユーザが識別できる態様で提示し、
前記再生指示部は、前記開始位置が管理されている番組のうちの１つがユーザにより選択されたときに、ユーザの指示により前記開始位置またはその付近から前記選択された番組を再生するための再生指示を前記ＴＶ番組録画装置に与えることを特徴とする請求項１から請求項１１のいずれかに記載の情報処理端末。
【請求項１３】
前記指定位置管理部は、前記開始位置付近における番組の静止画または動画から構成されるサムネイルの情報を、前記開始位置が指定された番組に対応付けて管理し、
前記録画番組情報提示部は、前記指定位置管理部を参照して前記開始位置付近のサムネイルを表示するとともに、前記開始位置を指定した番組を提示することを特徴とする請求項１２に記載の情報処理端末。
【請求項１４】
前記指定位置管理部は、ユーザにより指定された再生の終了位置の情報を、前記開始位置が指定された番組に対応付けて管理し、
前記再生指示部は、指定位置管理部を参照し、前記終了位置が管理されている場合には、前記選択された番組の再生を前記終了位置で終了させることを特徴とする請求項１２または請求項１３に記載の情報処理端末。
【請求項１５】
前記指定位置管理部は、放送日時および放送チャンネルの情報を用いて、前記開始位置または終了位置の管理を行うことを特徴とする請求項１２または請求項１３に記載の情報処理端末。
【請求項１６】
前記指定位置管理部は、他の情報処理端末から受信した前記開始位置、または開始および終了位置の情報を前記開始位置、または開始および終了位置の指定があった番組に対応付けて管理することを特徴とする請求項１２に記載の情報処理端末。
【請求項１７】
ブラウザを起動し、取得したハイパーメディアの情報を提示するブラウザ起動部を更に有し、
前記ブラウザ起動部は、前記ハイパーメディアの情報が番組へのリンク情報を含む場合には、前記ハイパーメディアの情報が提示される際に、番組を選択可能に提示し、
前記再生指示部は、前記番組へのリンク情報に基づき、ユーザにより選択された番組の再生指示を直接または間接的にＴＶ番組録画装置に与えることを特徴とする請求項１から請求項１６のいずれかに記載の情報処理端末。
【請求項１８】
ブラウザを起動し、取得したハイパーメディアの情報を提示するブラウザ起動部を更に有し、
前記録画番組情報提示部は、前記録画番組情報がハイパーメディアへのリンク情報を含む場合には、前記録画番組情報が提示される際に、ハイパーメディアを選択可能に提示し、
前記ブラウザ起動部は、前記ハイパーメディアへのリンク情報に基づき、ユーザにより選択されたハイパーメディアの情報を取得し、表示することを特徴とする請求項１から請求項１７のいずれかに記載の情報処理端末。
【請求項１９】
ＴＶ放送された番組のデータをコンテンツとして蓄積し、管理するコンテンツ管理部と、
前記データが蓄積されている番組に関する情報を収集する番組情報収集部と、
前記取得された番組に関する情報および、蓄積されている番組のデータ、または蓄積の予約をされた番組に係る情報に基づいて、受信先の環境によらず提示可能な形式で録画番組情報を生成する録画情報生成部を備え、
前記情報処理端末からの要求に応じ、前記生成された録画番組情報を送信することを特徴とするＴＶ番組録画装置。
【請求項２０】
前記番組情報収集部は、前記データが蓄積されている番組に関する情報として、ＥＰＧ情報を収集し、
前記録画情報生成部は、前記取得されたＥＰＧ情報を利用して録画番組情報を生成することを特徴とする請求項１９記載のＴＶ番組録画装置。
【請求項２１】
ＴＶ番組録画装置に録画される録画番組の情報であって前記ＴＶ番組録画装置に固有な録画番組情報を取得するための取得先情報に基づいて、自動的に前記取得先にアクセスし、前記録画番組情報を取得するステップと、
前記録画番組情報により特定される各番組をそれぞれの属するカテゴリに分類するステップと、
前記各番組の属するカテゴリを表示し、かつ前記各番組を選択可能に提示するステップと、
前記提示された番組のうちユーザにより選択された番組の再生指示を、直接または間接的に前記ＴＶ番組録画装置に与えるステップと、
前記再生指示を受けたＴＶ番組録画装置により、いずれかの再生装置に前記選択された番組のデータを配信させ、番組を再生させるステップと、を含むことを特徴とする情報処理方法。
【請求項２２】
ＴＶ番組録画装置に録画される録画番組の情報であって前記ＴＶ番組録画装置に固有な録画番組情報を取得するための取得先情報に基づいて、自動的に前記取得先にアクセスし、前記録画番組情報を取得する録画番組情報取得処理と、
前記録画番組情報により特定される各番組をそれぞれの属するカテゴリに分類する録画番組分類処理と、
前記各番組の属するカテゴリを表示し、かつ前記各番組を選択可能に提示する録画番組提示処理と、
前記提示された番組のうちユーザにより選択された番組の再生指示を、直接または間接的に前記ＴＶ番組録画装置に与える再生指示処理と、を情報処理端末内のコンピュータに実行させることで、
前記情報処理端末を用いて、前記再生指示を受けたＴＶ番組録画装置に、いずれかの再生装置に前記選択された番組のデータを配信させ、番組を再生させることを特徴とする情報処理プログラム。
【発明の詳細な説明】
【技術分野】
【０００１】
本発明は、録画番組の再生を指示する情報処理端末、ＴＶ番組録画装置、情報処理方法および情報処理プログラムに関する。
【背景技術】
【０００２】
近年、ＲＳＳ（ＲＤＦ  Ｓｉｔｅ  Ｓｕｍｍａｒｙ，  Ｒｉｃｈ  Ｓｉｔｅ  Ｓｕｍｍａｒｙ，  Ｒｅａｌｌｙ  Ｓｉｍｐｌｅ  Ｓｙｎｄｉｃａｔｉｏｎ）によってブログ（ｂｌｏｇ）などの各種ウェブサイトの更新情報をまとめ、配信することが一般的になってきた。ブログの更新情報だけではなく、ニュース配信サイトでは最新ニュースを、テレビ局では番組情報を、企業においてはプレスリリース等をヘッドライン情報としてＲＳＳにより配信することも多い。また、米Ａｐｐｌｅ社のｉＰｏｄ（登録商標）により普及したポッドキャスティングにおける音声ファイルやビデオファイルの配信においてもＲＳＳが利用されている。ここでＲＳＳを提供すること、また提供されたＲＳＳはＲＳＳフィードと呼ばれる。【０００３】
また、特に最近では、ＲＳＳに変わる情報配信部としてＡｔｏｍが考案され、ＲＳＳと同様に利用されている。ユーザは、ＲＳＳフィードやＡｔｏｍフィードを利用することにより、複数のＷｅｂサイトの更新状況をＲＳＳリーダまたはフィードリーダと呼ばれる単一のクライアントアプリケーション上で閲覧することができる。近年のＲＳＳリーダはＲＳＳの主要なバージョンやＡｔｏｍをすべてサポートしていることが多く、単一のソフトで、ほとんどのＷｅｂサイトのＲＳＳ／Ａｔｏｍフィードを利用することができる。【０００４】
ＲＳＳリーダを利用することにより、ユーザは個別のコンテンツソースにアクセスしなくても、各コンテンツソースの更新状況を知ることができるようになった。ＲＳＳは、近年のＷｅｂ巡回における基本ツールとなっている。【０００５】
一方、家庭内に配置されるＨＤＤレコーダとしては大量のＴＶ番組が録画できるものが販売されている。ユーザが録画予約をして明示的にＴＶ番組を録画する必要のあるＨＤＤレコーダもあれば、ユーザの指定したキーワード等に基づき自動的に録画するＨＤＤレコーダもある。また、ユーザが録画した番組あるいは視聴した番組の傾向から、ユーザが気に入りそうな番組を自動的に選定して、録画を行うものも複数のメーカーから発売されている。【０００６】
また、家庭内ネットワークで音楽、静止画、動画などのデジタル・コンテンツを容易にやりとりするための実装技術の仕様として、ＤＬＮＡ（Ｄｉｇｉｔａｌ  Ｌｉｖｉｎｇ  Ｎｅｔｗｏｒｋ  Ａｌｌｉａｎｃｅ）が知られており、遠隔地からＤＬＮＡ対応ＨＤＤレコーダの録画内容を確認する技術も提案されている。【０００７】
ＤＬＮＡ規格を用いたシステムでは、ＤＭＳ（Ｄｉｇｉｔａｌ  Ｍｅｄｉａ  Ｓｅｒｖｅｒ）と呼ばれるメディアサーバ（ＨＤＤレコーダが該当）に蓄積された動画や静止画、音声などからなるコンテンツの中から、ＤＭＣ（Ｄｉｇｉｔａｌ  Ｍｅｄｉａ  Ｃｏｎｔｒｏｌｌｅｒ）と呼ばれるコントローラで、所望のコンテンツを指定し、さらにＤＭＲ（Ｄｉｇｉｔａｌ  Ｍｅｄｉａ  Ｒｅｎｄｅｒｅｒ）と呼ばれるレンダラ（再生機器）を指定することによって、そのコンテンツをレンダラで再生することが可能となる。ＤＭＣとしてはＤＬＮＡ専用のリモコンや携帯電話機、ＤＭＲには通常テレビやＰＣ、オーディオ機器などが選択される。ＤＭＳ、ＤＭＲ、ＤＭＣの内、複数の要素を内包する機器も存在し、たとえば、ＤＭＲ機能とＤＭＣ機能双方を持つ機器はプレイヤ、ＤＭＰ（Ｄｉｇｉｔａｌ  Ｍｅｄｉａ  Ｐｌａｙｅｒ）と呼ばれる。【０００８】
このように、ＤＭＣにおいて、ＤＭＳ内に蓄積されているコンテンツ一覧を、ネットワーク経由で取得、閲覧することができることが知られている（たとえば、特許文献１参照）。特許文献１は、コンテンツのメタ情報を蓄積するリモコン・サーバを導入し、コンテンツ本体と分離してメタ情報を管理することによって、ＤＭＳの電源状態に関わらず、コンテンツ一覧をＤＭＣとなるＩＰリモコンに提供する発明を開示している。
【特許文献１】特開２００６−２２７８４３
【発明の開示】
【発明が解決しようとする課題】
【０００９】
しかし、これらの構成においても、ＨＤＤレコーダに蓄積されたコンテンツは、Ｗｅｂコンテンツ等のハイパーメディアとは完全に独立して扱われており、ユーザはＨＤＤレコーダに蓄積された番組を確認する場合には、Ｗｅｂ等のハイパーメディアシステムの更新チェックとは別に何らかの手段を用いて更新を確認する必要があった。ＤＬＮＡなどを用いて、ネットワーク経由でＨＤＤレコーダ内のコンテンツにアクセス可能になっても、それらのローカルコンテンツとハイパーメディアが別々に扱われていたのでは、ユーザ利便性に難がある。【００１０】
そこで本発明では、ユーザが端末を操作してＴＶ番組録画装置内の番組データ等の情報更新の確認をせずに録画番組情報を自動的に得ることができる情報処理端末、ＴＶ番組録画装置、情報処理方法および情報処理プログラムを提供することを目的とする。【００１１】
さらに、確認された番組を（ＲＳＳフィードされたＷｅｂページにアクセスするのと同様に）簡単な手順で視聴可能にすることで、ユーザはコンテンツの場所を意識することなく、どこにコンテンツがあろうとも、統一された手順で所望のコンテンツにアクセスし、視聴する環境を提供する（コンテンツの位置透過性の実現）。【００１２】
なお、ＨＤＤレコーダに代表される家庭内のメディアサーバに蓄積されるコンテンツはＴＶ番組以外にもデジカメで撮影した写真やムービー、ＣＤからリッピングした音楽、ＶｏＤで配信された動画、日記などのテキスト情報、ｖＣａｒｄやｖＣａｌｅｎｄｅｒなどのＰＩＭ情報、サービスよりダウンロードしたゲームやアプリケーション、オフィスアプリケーション文書、監視カメラからのリアルタイムストリーム映像など多数に上るが、それらも同様に位置透過性を持って扱われることが望ましい。【００１３】
本明細書では、ＨＤＤレコーダに蓄積されるＴＶ番組を例に挙げて説明しているが、一般的なコンテンツに適用可能な事項に関しては、コンテンツをＴＶ番組に限定して考えるのではなく、一般的なコンテンツにも権利範囲が及ぶと考えられるべきである。
【課題を解決するための手段】
【００１４】
（１）上記の目的を達成するため、本発明の情報処理端末は、ＴＶ番組録画装置に録画される録画番組の情報であって前記ＴＶ番組録画装置に固有な録画番組情報を取得するための取得先情報を管理する取得先情報管理部と、前記管理されている取得先情報に基づいて、自動的に前記取得先にアクセスし、前記録画番組情報を取得する録画番組情報取得部と、前記録画番組情報により特定される各番組をそれぞれの属するカテゴリに分類する録画番組情報分類部と、前記各番組の属するカテゴリを表示し、かつ前記各番組を選択可能に提示する録画番組情報提示部と、前記提示された番組のうちユーザにより選択された番組の再生指示を、直接または間接的に前記ＴＶ番組録画装置に与える再生指示部と、を備え、前記再生指示を受けたＴＶ番組録画装置に、いずれかの再生装置に前記選択された番組のデータを配信させ、番組を再生させることを特徴としている。【００１５】
このように、本発明の情報処理端末は、ＲＳＳリーダやＡｔｏｍリーダ等の録画番組情報取得部により自動的に取得先にアクセスし、ＨＤＤレコーダなどのＴＶ番組録画装置に録画されているＴＶ番組に関する固有の録画番組情報を取得し、その録画番組情報を表示する。これにより、ユーザは情報処理端末をその都度操作して、情報の更新を確認せずに録画番組情報を得ることができる。【００１６】
さらに、本発明の情報処理端末は、それらの録画番組の情報を情報処理端末で管理し、カテゴリに分類して表示し、ユーザがそのうちの所望の録画番組を示すインデックスを選択することで、その録画番組を、情報処理端末自体を含む再生装置で再生させる。これにより、ユーザは再生しようとするテレビ番組がどのＴＶ番組録画装置において蓄積されているかを意識せず録画番組を再生することができる。もちろんユーザが望めば、ＴＶ番組録画装置ごとにカテゴリ分類して表示することも可能だが、それぞれのＴＶ番組録画装置に蓄積されているコンテンツの利用において差異がない場合には、それらは統一的に扱われるべきである。仮に、ある特定のＴＶ番組録画装置内のコンテンツを利用する際に課金が発生するなど、コンテンツの利用条件に差異がある場合には、ＴＶ番組録画装置ごとに分類して表示することが望ましい。【００１７】
ここで、本発明における情報処理端末は、ユーザが持ち運び可能な携帯端末であることが望ましい。たとえば、携帯電話機や、ＰＤＡ（Ｐｅｒｓｏｎａｌ  Ｄｉｇｉｔａｌ  Ａｓｓｉｓｔａｎｔ）、ポータブル音楽プレイヤ、ポータブルゲーム機など、ネットワークにアクセス可能であり、必要なインタフェースと処理能力を備え、本明細書中にあげる機能を有する端末であればよい。【００１８】
（２）また、本発明の情報処理端末は、前記取得先情報管理部が、前記録画番組情報を取得するための取得先情報とともに、ハイパーメディアの更新情報を取得するための取得先情報を管理し、前記録画番組情報取得部は、前記更新情報の取得先情報に基づいて、自動的に取得先にアクセスし、前記更新情報を取得し、前記録画番組情報提示部は、前記ハイパーメディアの情報を前記各番組の提示と同一のインタフェース上で選択可能に提示し、ユーザにより前記ハイパーメディアの情報が選択された場合には、ブラウザを起動し前記選択された情報に係る取得先にアクセスすることを特徴としている。【００１９】
このように、本発明の情報処理端末は、ハイパーメディア（Ｗｅｂページ等）の情報を各番組の提示と同一のインタフェース上で選択可能に提示する。これにより、ユーザは、情報処理端末により同一のインタフェースで録画番組情報とハイパーメディアの更新情報を利用できる。そして、情報処理端末は、ハイパーメディアの更新情報が選択された場合には、ブラウザによりそのハイパーメディアにアクセスする。その結果、ユーザはインターネット上のコンテンツと、ホームネットワーク内のコンテンツを別々に扱う必要がなく、コンテンツが蓄積されている装置等に依存せず、コンテンツを利用することが可能となる。なお、ハイパーメディアとは、リンクを張ることができるＨＴＭＬ形式やＸＭＬ形式で表された情報を指し、Ｗｅｂページを含む概念である。ハイパーメディアは、必ずしもＷｅｂ上にある必要はなく、端末上のストレージに蓄積されていたり、端末のＵＩとして統合されて用いられるものでもよい。ブラウザは、ハイパーメディアを閲覧するためのアプリケーションソフトであり、Ｗｅｂブラウザを含む概念である。また、取得先とは、ハイパーメディアシステムを構成する要素であり、端末上のストレージやＷｅｂサーバを含む概念である。【００２０】
（３）また、本発明の情報処理端末は、前記取得先情報が、前記ＴＶ番組録画装置の情報を含み、前記録画番組情報取得部が、前記取得先情報に基づいて、自動的に前記ＴＶ番組録画装置にアクセスし、前記録画番組情報を取得することを特徴としている。【００２１】
このように本発明の情報処理端末は、録画番組情報をＴＶ番組録画装置から取得する。したがって、情報を中継する装置が不要であり、ユーザは簡易に録画番組情報を取得できるシステムを構築できる。【００２２】
（４）また、本発明の情報処理端末は、前記取得先情報が、前記ＴＶ番組録画装置と接続された録画番組情報配信サーバの情報を含み、前記録画番組情報取得部が、前記取得先情報に基づいて、自動的に前記録画番組情報配信サーバにアクセスし、前記録画番組情報を取得することを特徴としている。【００２３】
このように本発明の情報処理端末は、録画番組情報を録画番組情報配信サーバから取得する。サーバにより録画番組情報が管理されることにより、複数のコンテンツソースに代わって情報処理端末に録画番組情報を提供することができる。また、複数のコンテンツソースに重複して録画されている番組をまとめる等、配信する録画番組情報の最適化を行なうことが可能となる。【００２４】
（５）また、本発明の情報処理端末は、前記録画番組情報が、番組のタイトル、静止画または動画から構成されるサムネイル、番組の録画日時および放送チャネルの情報を含み、前記録画番組情報提示部が、前記録画番組情報として取得された情報のうち、番組のタイトル、静止画もしくは動画から構成されるサムネイル、番組の録画日時または放送チャネルの情報のいずれかを用いて、前記録画番組情報により特定される番組を提示することを特徴としている。【００２５】
これにより、ユーザはＴＶ番組の再生を選択する前に、そのＴＶ番組の概要を知ることが可能となる。これらの情報は情報処理端末上の再生部に表示されることを想定しているが、外部の再生装置に表示されてもかまわない。【００２６】
（６）また、本発明の情報処理端末は、前記録画番組情報が、少なくとも番組の録画日時の情報を含み、前記録画番組情報分類部が、前記録画番組情報に含まれる録画日時の情報に基づき、前記最近録画された番組を、最近録画された番組のカテゴリとして分類し、前記録画番組情報提示部が、前記最近録画された番組を、最近録画された番組のカテゴリとして一覧にして提示することを特徴としている。【００２７】
これにより、新たに録画された新着番組等を選択的に表示するということが可能となる。ユーザの興味の高い情報を選択的に提供することができ、ユーザの利便性が向上する。【００２８】
（７）また、本発明の情報処理端末は、番組ごとに再生履歴を管理する再生履歴管理部をさらに備え、前記録画番組情報分類部が、前記再生履歴管理部を参照して、未再生の番組として管理されている番組と、既再生の番組として管理されている番組とを分類し、前記録画番組情報提示部が、前記分類の結果から前記未再生と既再生とがユーザに識別できるように前記各番組を提示することを特徴としている。【００２９】
これにより、ユーザは未再生の番組を効率的に探し出し、未再生の番組の視聴を行うことが可能となる。その結果、情報処理端末の利便性が向上する。【００３０】
（８）また、本発明の情報処理端末は、番組ごとに再生履歴を管理する再生履歴管理部をさらに備え、前記録画番組情報分類部が、前記再生履歴管理部を参照して、未再生の番組として管理された番組と、既再生の番組として管理された番組とを分類し、前記録画番組情報提示部が、前記分類の結果から前記各カテゴリ内の未再生番組の番組数を、前記各カテゴリに対応付けて提示することを特徴としている。【００３１】
これにより、ユーザはカテゴリの分類表示とそれに対応付けられて表示される未再生番組数を見ることができる。その結果、ユーザは各分類に含まれる未再生番組の数を把握することができ、情報処理端末の利便性が向上する。【００３２】
（９）また、本発明の情報処理端末は、番組ごとに再生履歴を管理する再生履歴管理部をさらに備え、前記録画番組情報分類部が、前記再生履歴管理部を参照して、未再生の番組として管理された番組と、既再生の番組として管理された番組とを分類し、前記録画番組情報提示部が、前記分類の結果から、前記未再生の番組のみを提示することを特徴としている。【００３３】
多くのＴＶ番組は一度見たら、二度見る必要がないため、上記のように未再生番組のみ表示し、既再生番組に関しては情報処理端末上での提示を抑制することで、情報量を抑えることができる。ただし、ユーザの要求に応じて、既再生番組の提示を行うこともできることが望ましい。未再生番組だけ、あるいは既再生番組を専用のカテゴリに分類して提示することも可能である。【００３４】
（１０）また、本発明の情報処理端末は、再生の中断された番組およびその番組の再生が中断された中断位置の情報を、番組ごとの再生履歴として管理する再生履歴管理部をさらに備え、前記録画番組情報分類部が、前記再生履歴管理部を参照して、前記再生を中断された番組と再生を中断されてない番組とを分類し、前記録画番組情報提示部が、前記分類の結果から、前記再生を中断された番組を、再生を中断されてない番組に対してユーザが識別できる態様で提示し、前記再生指示部が、前記再生を中断された番組のうちの１つがユーザにより選択されたときに、前記中断位置またはその付近から前記選択された番組を再生するための再生指示を前記ＴＶ番組録画装置に与えることを特徴としている。【００３５】
これにより、ユーザは途中で再生を中断した番組を、中断位置からリジューム再生することが可能となる。再生を中断した番組は、リジュームフォルダなどの専用のカテゴリに分類されるか、再生を中断したことをユーザが識別できるように他のエントリとは表示色を変えるなど様態を異ならせて表示される。これにより、ユーザは簡単に再生が中断された番組を探し出し、視聴を継続することができる。【００３６】
（１１）また、本発明の情報処理端末は、前記再生履歴管理部は、前記再生を中断された番組および中断位置の情報に加えて、中断位置付近における静止画または動画から構成されるサムネイルの情報を管理し、前記録画番組情報提示部は、前記再生履歴管理部を参照して、前記中断位置付近のサムネイルを表示するとともに、前記再生を中断した番組を提示することを特徴としている。【００３７】
このように、本発明の情報処理端末は、中断位置付近のサムネイルを表示する。これにより、表示されたサムネイルを見ることによって、ユーザは再生を中断した番組の情報を視覚的に得ることができるため、所望の番組を探し出すことが容易となる。なお、中断位置付近とは、番組が中断されている位置またはその位置以前の再生位置でユーザが中断位置を識別できる範囲を指す。【００３８】
（１２）また、本発明の情報処理端末は、ユーザにより指定された再生の開始位置の情報を、前記開始位置が指定された番組に対応付けて管理する指定位置管理部をさらに備え、前記録画番組情報提示部が、前記指定位置管理部を参照し、前記開始位置が指定された番組を、前記再生開始位置が指定されていない番組に対してユーザが識別できる態様で提示し、前記再生指示部が、前記開始位置が管理されている番組のうちの１つがユーザにより選択されたときに、ユーザの指示により前記開始位置またはその付近から前記選択された番組を再生するための再生指示を前記ＴＶ番組録画装置に与えることを特徴としている。【００３９】
これにより、ユーザは、自分のお気に入りのシーンなどに対して開始位置を指定（ブックマーク）し、必要なときにそれを呼び出すことで、いつでもそのシーンから再生を開始することが可能となる。上記のように、ブックマークされた番組は、ブックマークフォルダなどの専用のカテゴリに分類されるか、視聴を中断したことがユーザに識別できるように他のエントリとは表示色を変えるなど様態を異ならせて表示される。これにより、ユーザは簡単にブックマークされた番組を探し出し、所望のシーンの視聴を行うことができる。【００４０】
（１３）また、本発明の情報処理端末は、前記指定位置管理部が、前記開始位置付近における番組の静止画または動画から構成されるサムネイルの情報を、前記開始位置が指定された番組に対応付けて管理し、前記録画番組情報提示部が、前記指定位置管理部を参照して前記開始位置付近のサムネイルを表示するとともに、前記開始位置を指定した番組を提示することを特徴としている。【００４１】
このように本発明の情報処理端末は、指定された開始位置付近のサムネイルを表示する。これにより、サムネイルを見ることによって、ユーザはブックマークされた番組の情報を視覚的に得ることができるため、所望の番組を探しだすことが容易となる。なお、開始位置付近とは、開始位置またはその開始位置の前後の再生位置でユーザが開始位置を識別できる範囲を指す。【００４２】
（１４）また、本発明の情報処理端末は、前記指定位置管理部が、ユーザにより指定された再生の終了位置の情報を、前記開始位置が指定された番組に対応付けて管理し、前記再生指示部が、指定位置管理部を参照し、前記終了位置が管理されている場合に、前記選択された番組の再生を前記終了位置で終了させることを特徴としている。【００４３】
このように、本発明の情報処理端末は、ユーザにより指定された再生の終了位置の情報を、開始位置が指定された番組に対応付けて管理する。これにより、ユーザは、再生開始位置と再生終了位置の組を複数組み合わせることで、お気に入りのシーンだけを抽出したダイジェストを構成することも可能である。【００４４】
（１５）また、本発明の情報処理端末は、前記指定位置管理部が、放送日時および放送チャンネルの情報を用いて、前記開始位置または終了位置の管理を行うことを特徴としている。【００４５】
このように本発明の情報処理端末は、録画番組の放送日時（＝録画日時）と放送チャネル情報をブックマーク（開始位置等の情報）に含めて管理する。その結果、ＴＶ番組録画装置に依存しない普遍的な情報で番組を特定することを可能にして、ユーザはブックマークを他人に譲渡することができる。譲渡された人は、利用可能なＴＶ番組録画装置に該当する番組が録画されている場合には、自己の情報処理端末を用いて、その番組をブックマークの再生開始位置や再生終了位置の情報に基づいて再生することができる。【００４６】
（１６）また、本発明の情報処理端末は、前記指定位置管理部が、他の情報処理端末から受信した前記開始位置、または開始および終了位置の情報を前記開始位置、または開始および終了位置の指定があった番組に対応付けて管理することを特徴としている。【００４７】
これにより、ユーザは他者から与えられたブックマーク（開始位置等の情報）を受信し利用することができる。本発明の情報処理端末は、受信したブックマークをメールフォルダなどの専用のカテゴリに分類されるか、他者からもらったことをユーザが識別できるように他のエントリとは表示色を変えるなど様態を異ならせて表示する。これにより、ユーザは簡単に譲渡されたブックマークを探し出し、所望のシーンの視聴を行うことができる。【００４８】
（１７）また、本発明の情報処理端末は、ブラウザを起動し、取得したハイパーメディアの情報を提示するブラウザ起動部を更に有し、前記ブラウザ起動部は、前記ハイパーメディアの情報が番組へのリンク情報を含む場合には、前記ハイパーメディアの情報が提示される際に、番組を選択可能に提示し、前記再生指示部は、前記番組へのリンク情報に基づき、ユーザにより選択された番組の再生指示を直接または間接的にＴＶ番組録画装置に与えることを特徴としている。これにより、ハイパーメディアと録画番組が相互に関連し、ユーザの利便性が向上する。たとえば、ユーザによりハイパーメディアの中で番組へのリンクがクリックされたときに、情報処理端末は、ＴＶ番組録画装置にその番組の再生を指示することができる。【００４９】
（１８）また、本発明の情報処理端末は、ブラウザを起動し、取得したハイパーメディアの情報を提示するブラウザ起動部を更に有し、前記録画番組情報提示部は、前記録画番組情報がハイパーメディアへのリンク情報を含む場合には、前記録画番組情報が提示される際に、ハイパーメディアを選択可能に提示し、前記ブラウザ起動部は、前記ハイパーメディアへのリンク情報に基づき、ユーザにより選択されたハイパーメディアの情報を取得し、表示することを特徴としている。これにより、ハイパーメディアと録画番組が相互に関連し、ユーザの利便性が向上する。たとえば、ユーザにより録画番組情報の中でハイパーメディアへのリンクがクリックされたときに、情報処理端末は、Ｗｅｂサーバ等のハイパーメディアの取得先にアクセスし、そのハイパーメディアを表示する。【００５０】
（１９）また、本発明のＴＶ番組録画装置は、ＴＶ放送された番組のデータをコンテンツとして蓄積し、管理するコンテンツ管理部と、前記データが蓄積されている番組に関する情報を収集する番組情報収集部と、前記取得された番組に関する情報および、蓄積されている番組のデータ、または蓄積の予約をされた番組に係る情報に基づいて、受信先の環境によらず提示可能な形式で録画番組情報を生成する録画情報生成部を備え、前記情報処理端末からの要求に応じ、前記生成された録画番組情報を送信することを特徴としている。【００５１】
このように本発明のＴＶ番組録画装置は、受信先の環境によらず提示可能な形式で録画番組情報を生成し、情報処理端末からの要求に応じ、生成された録画番組情報を送信する。これにより、情報処理端末によらず録画番組情報の提示を可能にし、また、ＷＥＢ情報等のハイパーメディアと同様に録画番組情報を提示することも可能とする。その結果、ユーザは情報のソースを意識することなく録画番組情報を利用して録画された番組を再生することができる。【００５２】
（２０）また、本発明のＴＶ番組録画装置は、前記番組情報収集部が、前記データが蓄積されている番組に関する情報として、ＥＰＧ情報を収集し、前記録画情報生成部が、前記取得されたＥＰＧ情報を利用して録画番組情報を生成することを特徴としている。【００５３】
このように、本発明のＴＶ番組録画装置は、録画番組に関するＥＰＧ情報を取得、録画番組情報として加工して提供することができる。なお、録画番組情報には、番組タイトル、放送日時と放送チャネル情報、番組ＩＤ等の番組を特定できる情報を含む。なお、情報処理端末が別途ＥＰＧ取得部を有し、提供される録画番組情報に基づき、追加的な情報をＥＰＧから別途取得する機能を有していてもよい。【００５４】
（２１）また、本発明の情報処理方法は、ＴＶ番組録画装置に録画される録画番組の情報であって前記ＴＶ番組録画装置に固有な録画番組情報を取得するための取得先情報に基づいて、自動的に前記取得先にアクセスし、前記録画番組情報を取得するステップと、前記録画番組情報により特定される各番組をそれぞれの属するカテゴリに分類するステップと、前記各番組の属するカテゴリを表示し、かつ前記各番組を選択可能に提示するステップと、前記提示された番組のうちユーザにより選択された番組の再生指示を、直接または間接的に前記ＴＶ番組録画装置に与えるステップと、前記再生指示を受けたＴＶ番組録画装置により、いずれかの再生装置に前記選択された番組のデータを配信させ、番組を再生させるステップと、を含むことを特徴としている。【００５５】
このように本発明の情報処理方法では、ＲＳＳリーダやＡｔｏｍリーダ等により自動的に取得先にアクセスし、ＨＤＤレコーダなどのＴＶ番組録画装置に録画されているＴＶ番組に関する録画番組情報を取得し、その録画番組情報を表示する。その結果、ユーザは情報処理端末等の機器をその都度操作して、情報の更新を確認せずに録画番組情報を得ることができる。さらに、本発明の情報処理方法では、それらの録画番組の情報を管理し、カテゴリに分類して表示し、ユーザがそのうちの所望の録画番組のインデックスを選択することで、その録画番組を、再生装置で再生させる。これにより、ユーザは再生しようとするテレビ番組がどのＴＶ番組録画装置において蓄積されているかを意識せず録画番組を再生することができる。【００５６】
（２２）また、本発明の情報処理方法は、ＴＶ番組録画装置に録画される録画番組の情報であって前記ＴＶ番組録画装置に固有な録画番組情報を取得するための取得先情報に基づいて、自動的に前記取得先にアクセスし、前記録画番組情報を取得する録画番組情報取得処理と、前記録画番組情報により特定される各番組をそれぞれの属するカテゴリに分類する録画番組分類処理と、前記各番組の属するカテゴリを表示し、かつ前記各番組を選択可能に提示する録画番組提示処理と、前記提示された番組のうちユーザにより選択された番組の再生指示を、直接または間接的に前記ＴＶ番組録画装置に与える再生指示処理と、を情報処理端末内のコンピュータに実行させることで、前記情報処理端末を用いて、前記再生指示を受けたＴＶ番組録画装置に、いずれかの再生装置に前記選択された番組のデータを配信させ、番組を再生させることを特徴としている。【００５７】
これにより、本発明の情報処理プログラムは、ＲＳＳリーダやＡｔｏｍリーダ等の録画番組情報取得処理により、情報処理端末に自動的に取得先にアクセスさせ、ＨＤＤレコーダなどのＴＶ番組録画装置に録画されているＴＶ番組に関する録画番組情報を取得させ、その録画番組情報を表示させる。その結果、ユーザは情報処理端末をその都度操作して、情報の更新を確認せずに録画番組情報を得ることができる。さらに、本発明の情報処理プログラムは、それらの録画番組の情報を情報処理端末に管理させ、カテゴリに分類して表示させ、ユーザがそのうちの所望の録画番組を選択したとき、その録画番組を、情報処理端末自体を含む再生装置で再生させる。これにより、ユーザは再生しようとするテレビ番組がどのＴＶ番組録画装置において蓄積されているかを意識せず録画番組を再生することができる。
【発明の効果】
【００５８】
本発明によれば、ユーザは情報処理端末をその都度操作して、情報の更新を確認せずに録画番組情報を得ることができる。さらに、本発明の情報処理端末は、それらの録画番組の情報を情報処理端末で管理し、カテゴリに分類して表示し、ユーザがそのうちの所望の録画番組を選択することで、その録画番組を、情報処理端末自体を含む再生装置で再生させる。これにより、ユーザは再生しようとするテレビ番組がどのＴＶ番組録画装置において蓄積されているかを意識せず録画番組を再生することができる。
【図面の簡単な説明】
【００５９】
【図１】実施形態１の情報処理システムの一例を示す概念図である。
【図２】本発明に係る情報処理端末の構成を示す機能ブロック図である。
【図３】本発明に係るＴＶ番組録画装置の構成を示す機能ブロック図である。
【図４】本発明に係る情報処理端末のインデックスの取得および管理の動作を示すフローチャートである。
【図５】本発明に係るＴＶ番組録画装置のインデックス配信の動作を示すフローチャートである。
【図６】本発明に係る情報処理端末のインデックス提示の動作を示すフローチャートである。
【図７】本発明に係る情報処理端末の再生指示の動作を示すフローチャートである。
【図８】本発明に係る情報処理端末の再生指示の動作を示すフローチャートである。
【図９】本発明に係る情報処理端末およびＴＶ番組録画装置のブックマーク処理の動作を示すシーケンスチャートである。
【図１０】インデックス情報の記述例を示す図である。
【図１１】本発明に係る情報処理端末の利用可能判定の動作を示すフローチャートである。
【図１２】本発明に係る情報処理端末の画面遷移の例を示す図である。
【図１３】ブックマークインデックス情報の記述例を示す図である。
【図１４】本発明に係る情報処理端末におけるＵＩの例を示す図である。
【図１５】インデックス情報が端末間で転送される様子を模式的に示す図である。
【図１６】ユーザがブックマークを設定する際の画面表示例を示したものである。
【図１７】本発明に係る情報処理端末におけるＵＩの例を示す図である。
【図１８】本発明に係る情報処理端末の利用履歴表示画面例を示す図である。
【図１９】本発明に係る情報処理端末のパーソナライズ画面の表示例を示す図である。
【図２０】実施形態２の情報処理システムの構成例を示す概念図である。
【図２１】実施形態３の情報処理システムの構成例を示す概念図である。
【図２２】Ｗｅｂポータルシステムが提供するＷｅｂページの表示画面例を示す図である。
【図２３】ＴＶ番組へのリンクを含むＷｅｂページのＨＴＭＬファイルを示す図である。
【図２４】Ｗｅｂブラウザにおける描画例を示す図である。
【図２５】本発明に係る情報処理端末におけるＵＩの例を示す図である。
【符号の説明】
【００６０】
１０２  再生装置
１０３  ＴＶ番組録画装置
１０４  ＴＶ番組録画装置
１０５  インターネット
１０６  情報処理端末
１０７  インデックス配信サーバ（録画番組情報配信サーバ）
１０８  Ｗｅｂポータルシステム（録画番組情報配信サーバ）
３０１  インデックス取得部（録画番組情報取得部）
３０１ａ  取得先情報管理部
３０２  インデックス管理部
３０３  インデックス分類部（録画番組情報分類部）
３０４  インデックス提示部（録画番組情報提示部）
３０５  インデックス操作部
３０６  インデックス実行解析部
３０７  コンテンツ利用手順確認部
３０８  再生指示部
３０９  レンダラ指定部
３１０  ブラウザ起動部
３１１  インデックス更新部（再生履歴管理部）
３１２  履歴管理部（再生履歴管理部）
３１３  再生制御部
３１４  リジュームインデックス生成部（再生履歴管理部）
３１５  ブックマークインデックス生成部（指定位置管理部）
３１６  インデックス受信部
３１７  インデックス送信部
３１９  送受信部
４０１  インデックス配信要求受理部
４０２  インデックス購読管理部
４０３  コンテンツ操作受理部
４０４  コンテンツ権限管理部
４０５  サムネイル要求受理部
４０６  インデックス配信部
４０７  インデックス生成部
４０７ａ  番組情報収集部
４０８  サムネイル生成部（録画番組情報生成部）
４０９  サムネイル配信部
４１０  コンテンツ再生配信部
４１１  コンテンツ管理部
４１２  コンテンツ変換部
４１３  ＥＰＧ取得部
４１４  放送受信部
４１５  録画受付部
【発明を実施するための最良の形態】
【００６１】
（実施形態１）
以下、本発明の実施の形態について、図面を参照しながら説明する。図１は、本発明を実施するための情報処理システムの一例を示す概念図である。情報処理システムは、たとえば図１に示すにように、再生装置１０２、ＴＶ番組録画装置１０３、１０４、インターネット１０５、情報処理端末１０６により構成されている。なお、本実施の形態では、ハイパーメディアシステムの一例としてＷｅｂシステムを用いる場合を説明する。【００６２】
再生装置１０２は、たとえばＴＶ受像装置、パーソナルコンピュータ（ＰＣ）である。再生装置１０２は、少なくとも録画番組を再生する機能を有している。また、再生装置１０２は、情報処理端末１０６から再生指示を受信し、ＴＶ番組録画装置１０３に番組の配信を要求するが、要求なしにＴＶ番組録画装置１０３から配信された番組を再生することもある。なお、図１の例では、外部のＴＶ受像装置が再生装置として機能しているが、情報処理端末１０６を再生装置として録画番組を再生してもよい。【００６３】
ＴＶ番組録画装置１０３は、ＴＶ番組放送を受信し、番組を録画する装置である。たとえば、ＴＶ番組録画装置１０３は、ＨＤＤレコーダを搭載し、録画された番組のデータを蓄積する。そして、ＴＶ番組録画装置１０３は、自機内に蓄積されているコンテンツ一覧をインデックス情報（録画番組情報）として情報処理端末１０６に提供する。ＴＶ番組録画装置１０３は、たとえばＡｔｏｍフィードによりインデックス情報を配信する。ＴＶ番組録画装置１０４は、ＴＶ番組録画装置１０３とは別体であるが同様の機能を有する装置である。図１の例では、ＴＶ番組録画装置１０３が、コンテンツを配信するコンテンツソースおよびインデックスを配信するインデックスソースの両方として機能している。【００６４】
情報処理端末１０６は、少なくともＴＶ番組録画装置１０３との間で通信できる機能を有する端末装置であり、たとえば携帯電話機である。情報処理端末１０６は、ＴＶ番組録画装置１０３、１０４から与えられたインデックス情報、あるいはインターネット１０５上のＷｅｂサイト（ハイパーメディア）から提供されるＲＳＳ／Ａｔｏｍフィードを端末上のディスプレイに分類表示する。ユーザは、分類表示されたインデックスの中からＴＶ番組録画装置１０３に蓄積されている番組のインデックスを選択することができる。再生装置１０２にその番組の再生指示を行った場合、再生装置１０２はＴＶ番組録画装置１０３に対し再生指示のあった番組の配信を要求し、その番組の再生を開始する。なお、情報処理端末１０６は、携帯電話機に限定されず、ＰＤＡ、ポータブル音楽プレイヤ、ポータブルゲーム機など、ネットワークにアクセス可能であり、必要なインタフェースと処理能力を備え、本明細書中にあげる機能を有する端末であればよい。【００６５】
ＴＶ番組録画装置１０３や１０４から情報処理端末１０６にインデックスを配信する際にはインターネットを介して、定期的に行ってもよいし、ホームネットワーク内でローカルに行ってもよい。クレードルなどを介し、情報処理端末１０６の同期・充電時にインデックスの配信を受けることがセキュリティ上好ましい。【００６６】
再生装置１０２からＴＶ番組録画装置１０３への番組配信要求は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等を介したコマンド体系を用いてもよいし、ＤＬＮＡ、ＵＰｎＰなどのホームネットワーク規格を利用してもよい。またここでは、情報処理端末１０６からの再生指示が再生装置１０２に与えられ、再生装置１０２が情報ソースであるＴＶ番組録画装置１０３に対し、該番組の配信を要求する手順となっているが、逆に情報処理端末１０６からの再生指示がＴＶ番組録画装置１０３に与えられ、ＴＶ番組録画装置１０３が再生装置１０２に対し、該番組の配信を行ってもよい。いずれにしても直接または間接的にＴＶ番組録画装置１０３は、再生指示のあった番組の配信要求を受ける。【００６７】
情報処理端末１０６から再生装置１０２ないしはＴＶ番組録画装置１０３への指示は、赤外線やＢｌｕｅｔｏｏｔｈ（登録商標）などの近接無線通信を使って行うこともできるし、ホームネットワーク内の無線ＬＡＮネットワーク経由で行うこともできる。【００６８】
図２は情報処理端末１０６の構成を示す機能ブロック図である。図２に示すように、情報処理端末１０６は、インデックス取得部３０１、インデックス管理部３０２、インデックス分類部３０３、インデックス提示部３０４、インデックス操作部３０５、インデックス実行解析部３０６、コンテンツ利用手順確認部３０７、再生指示部３０８、レンダラ指定部３０９、ブラウザ起動部３１０、インデックス更新部３１１、履歴管理部３１２、再生制御部３１３、リジュームインデックス生成部３１４、ブックマークインデックス生成部３１５、インデックス受信部３１６およびインデックス送信部３１７を備えている。図中の二重線で囲まれたボックスは、外部に接続することを示している（以下も同様）。【００６９】
情報処理端末１０６は、インデックス情報（録画番組情報）の取得に先駆けて、インデックスの購読登録処理を受け付ける。ユーザはコンテンツソースごとに、そのインデックスの配信を希望するかどうか判断し、購読登録をする。情報処理端末１０６は、購読登録処理することで、インデックス情報の取得先情報を記憶し、管理する。【００７０】
取得先情報管理部３０１ａは、購読登録処理およびインデックスの取得先情報の管理を行う。コンテンツソースの管理するコンテンツに関するインデックスのみがインデックス取得部３０１において取得される。インデックス取得部３０１（録画番組情報取得部）は、Ｂｌｕｅｔｏｏｔｈ（登録商標）やＬＡＮ等の外部接続手段を有し、ＴＶ番組録画装置１０３からインデックスを取得する。本実施形態ではインデックス情報はＡｔｏｍフィードの形式で提供されるため、情報処理端末１０６はＡｔｏｍリーダにより定期的にＴＶ番組録画装置１０３にアクセスし、最新のインデックス情報を取得する。ここで取得されるインデックス情報にはそれぞれのＴＶ番組録画装置１０３に含まれる全種類のコンテンツの情報が含まれることを想定しているが、前回取得時からの差分のみの取得を行ったり、あるジャンルやコンテンツタイプに該当するコンテンツのみのインデックスの取得を行うことも可能である。情報処理端末１０６は常に最新のインデックスが保持されるように、定期的にインデックスソースにアクセスし、最新のインデックスを取得する。【００７１】
ホームコンテンツに関して配信されるインデックス情報は、個人情報に該当しうる。通常のＲＳＳ／Ａｔｏｍフィードは不特定多数が利用することが可能だが、インデックス配信時には、インデックスソースによって、クライアント証明書やユーザＩＤ／パスワードを用いた認証が行われることが望ましい。【００７２】
インデックス管理部３０２は、取得したインデックス情報を解析し、ローカルのインデックスＤＢに蓄積して管理する。インデックス管理部３０２は、複数のコンテンツに対するエントリをまとめて配信されたインデックス情報をそれぞれのエントリに分解し、エントリごとに関連情報と対応付けて管理する。すなわち、インデックス管理部３０２は、たとえばＸＭＬ（ｅＸｔｅｎｓｉｂｌｅ  Ｍａｒｋｕｐ  Ｌａｎｇｕａｇｅ）形式であるＡｔｏｍで配信されたインデックス情報をパースし、個々の要素に分解し、内部形式としてデータベースに蓄積する。このように、情報処理端末１０６においては、配信されたインデックスがコンテンツソースごと、メディアの種類ごと、登録日付ごとなどさまざまな条件で分類整理されて管理される。【００７３】
なお、インデックス情報には、複数のコンテンツに関するエントリを含む集合としてのインデックス情報（インデックスエントリおよびその属性情報の集合）と、その中の単一のコンテンツに関するエントリのみを抽出した単体としてのインデックス情報（インデックスエントリおよびその属性情報）が存在する。格別の必要がない限り、両者をまとめてインデックス情報と呼び単複区別しない。【００７４】
インデックス分類部３０３（録画番組情報分類部）は、ユーザの指示を受けて、インデックスの表示を行う際、インデックス管理部が管理するそれぞれのインデックスエントリの属性情報に基づいて、それらを分類する。この分類はユーザごとにカスタマイズ可能であり、分類ごとに各インデックスエントリの属性情報が満たすべき属性の値やその組み合わせを指定することができる。たとえば、録画日時が最近一週間で、番組ジャンルがサッカーであることを指定した「最新サッカー」分類や、視聴回数が１０以上であることを指定した「お気に入り」分類などを設定することが可能である。【００７５】
インデックス提示部３０４（録画番組情報提示部）は、インデックス分類部３０３の分類を受けてユーザに選択可能にインデックスの提示を行う。たとえば、インデックス提示部３０４は、携帯電話機の画面上でカーソルにより選択可能にインデックスを表示する。インデックス操作部３０５は、分類の選択およびインデックスエントリの選択の操作を受け付ける。インデックス操作部３０５により、新たな分類が選択されれば、その分類に含まれるインデックスエントリを再度インデックス分類部３０３より検索の上取得し、提示を行う。【００７６】
インデックス実行解析部３０６は、インデックス操作部３０５が、インデックスエントリの選択を受けた場合、そのインデックスを利用するのに必要な処理の確認を行う。たとえば、インデックス実行解析部３０６は、選択されたインデックスエントリによりコンテンツの配信先を解析し、配信先に再生指示を送信可能な状態にする。【００７７】
レンダラ指定部３０９は、選択されたインデックスエントリのＡＶコンテンツを再生可能で利用可能なレンダラの指定を受け付ける。たとえば、録画ＴＶ番組の再生にはＴＶが必要であるし、音楽の再生にはコンポなどが適切である。レンダラ指定部３０９は、必要なレンダラ、適切なレンダラの指定を受け付ける。再生可能なレンダラとは、そのコンテンツの種類を再生できるレンダラを指す。また、利用可能なレンダラとは、ユーザが利用権限を有しているレンダラを指す。情報処理端末１０６は、赤外線やＢｌｕｅｔｏｏｔｈ（登録商標）などの近接無線通信部等を用いて、ユーザが自分の目の前にある機器をレンダラの候補として提示可能にする手段を有することが望ましい。ユーザの位置情報とそれに基づく周囲の利用可能な機器情報、コンテンツの種類、ユーザの利用履歴などに基づき、ユーザが利用する端末が特定可能であれば、レンダラの指定を自動的に行えることが望ましい。このようにして、選択されたインデックスが、ＡＶコンテンツである場合にはＤＬＮＡに基づき、再生制御を行う。【００７８】
選択されたインデックスエントリが、ＤＬＮＡで規定されている以外のコンテンツ、たとえば、オフィスドキュメント等である場合にはＵＰｎＰに基づき、機器発見、コンテンツ配信、コンテンツ利用を行うこととなるが、詳細は本発明の主眼と異なるので割愛する。コンテンツ利用手順確認部３０７は、利用するコンテンツおよびレンダラの確定を行い、当該コンテンツを当該レンダラで再生するために必要な手順を確認、再生指示部３０８に伝える。再生指示部３０８は、そのコンテンツを再生することに必要な所定の手順に従って、ＴＶ番組録画装置１０３（コンテンツソース）やレンダラに対し再生指示を行う。【００７９】
なお、再生指示部３０８は、赤外線のリモコン信号発光部や無線ＬＡＮの送出部のように物理的に異なる複数のデバイスを含みうる。そのような場合には、あるコンテンツをあるレンダラで利用するためには多種多様なプロトコルを利用する必要があり、複数のデバイスを使い分ける必要がある。【００８０】
コンテンツとレンダラが決まると、そのコンテンツをそのレンダラで再生させるために必要な手順が決まる。たとえば、プロトコルやファイルフォーマットを変換しなくてはならない場合や、再生コマンドの与え方についても適当な与え方を決めなければならない場合がある。コンテンツ利用手順確認部３０７は、このようなコンテンツの利用手順を確認する。【００８１】
また、インデックス更新部３１１（再生履歴管理部）は、コンテンツの利用や再生が終了した際には、インデックスの更新を行う。インデックス更新部３１１は、インデックスの既再生／利用処理や、再生／利用回数インクリメント処理、最終再生／利用時刻設定処理等を行う。履歴管理部３１２（再生履歴管理部）は、ユーザの利用履歴情報を管理し、後に履歴からインデックス情報を呼び出す際に利用する。【００８２】
再生制御部３１３は、ＵＰｎＰのＲｅｍｏｔｅＵＩの手順に従い、そのコンテンツの再生／利用に必要なＵＩ（Ｕｓｅｒ  Ｉｎｔｅｒｆａｃｅ）をＵＩサーバより取得し、ユーザに提示する。そして、再生制御部３１３は、ユーザの操作に従い、早送りや巻き戻しなどのＡＶコンテンツ操作、次のスライドへ進むプレゼンテーション操作、またはキャラクタを操作するゲーム操作等の指示等を、所定の手順に従って、コンテンツソースやレンダラに対して行う。【００８３】
リジュームインデックス生成部３１４（再生履歴管理部）は、再生制御部３１３においてコンテンツ再生や利用の中断がなされたときにはリジュームインデックス情報を生成し、インデックス管理部３０２にゆだねる。リジュームインデックス情報は、視聴を中断したコンテンツを後にリジューム再生させるときに利用される。また、ブックマークインデックス生成部３１５（指定位置管理部）は、ブックマークの指定がなされた際にはコンテンツの再生／利用開始位置、再生／利用終了位置またはその組み合わせを指定したブックマークインデックスを生成し、インデックス管理部３０２にゆだねる。【００８４】
インデックス送信部３１７はインデックス情報を送信し、インデックス受信部３１６は、インデックス情報を受信する。これにより、他の情報処理端末１０６とインデックス情報をやり取りすることができる。これらの送受信部３１９は、メールやチャットなどのコミュニケーションアプリケーションの機能によりインデックス情報を送受信することが、実装機能の重複を避けるうえでも、コミュニケーション連携のユーザビリティの面でも望ましい。たとえば、メール等を介してインデックス情報をユーザ間で相互にやり取りしたり、インターネット上のｂｌｏｇサービスなどにインデックス情報をアップロードして不特定多数で共有することができれば、放送されたテレビ番組の面白いところだけ引用してコミュニケーションに利用することが可能となる。その場合、コンテンツ自体は、それぞれローカルのコンテンツソースから取得するようにすれば、著作権の問題をクリアできる。もちろん、インデックス作成者の所有するコンテンツソースからコンテンツを取得するようにすることもできるが、その際には著作権上の問題が発生するので、適切なＤＲＭを用いてコンテンツの利用管理を行うことが求められる。【００８５】
図３は、ＴＶ番組録画装置１０３の構成を示す機能ブロック図である。図３の例では、ＴＶ番組録画装置１０３は、コンテンツソースかつインデックスソースとして稼動する。ＴＶ番組録画装置１０３は、インデックス配信要求受理部４０１、インデックス購読管理部４０２、コンテンツ操作受理部４０３、コンテンツ権限管理部４０４、サムネイル要求受理部４０５、インデックス配信部４０６、インデックス生成部４０７、サムネイル生成部４０８、サムネイル配信部４０９、コンテンツ再生配信部４１０、コンテンツ管理部４１１、コンテンツ変換部４１２、ＥＰＧ取得部４１３、放送受信部４１４および録画受付部４１５を備えている。【００８６】
インデックス配信要求受理部４０１は、情報処理端末１０６からインデックス配信要求を受ける。インデックス購読管理部４０２は、インデックス配信要求を受けて情報処理端末１０６にインデックスの配信を受ける権限があるかどうかを確認する。インデックス購読管理部４０２は、インデックスの購読登録をしているユーザのＩＤとＰＡＳＳＷＯＲＤの組、提供可能なインデックス範囲に関する情報を保持しており、クライアントの認証を行う。【００８７】
番組情報収集部４０７ａは、クライアントの認証が成功したときにインデックス購読管理部４０２から提供可能なインデックス範囲情報を取得する。また、番組情報収集部４０７ａは、コンテンツ管理部４１１に管理されているコンテンツおよびそのメタ情報からコンテンツ情報を収集する。【００８８】
インデックス生成部４０７（録画番組情報生成部）は、取得されたインデックス範囲情報に基づいてインデックス購読管理部４０２から提供可能なインデックス範囲内で要求されたインデックス情報の生成を行う。インデックス生成部４０７は、受信先の環境によらず提示可能な形式、すなわちＲＳＳ／Ａｔｏｍの形式でインデックス情報を作成する。インデックス生成部４０７は、その際に、コンテンツ管理部４１１に管理されているコンテンツおよびそのメタ情報から収集されたコンテンツ情報に基づいて、インデックス情報を生成する。インデックス配信部４０６は、生成されたインデックス情報を、配信要求した情報処理端末１０６に提供する。たとえば、インデックス配信部４０６は、Ａｔｏｍの形を用いて、コンテンツソースにおいて管理されているインデックス情報を、情報処理端末１０６にフィードする。インターネットなどの公共ネットワークを介してコンテンツ配信を行う場合には、インデックス配信部４０６は、インデックス情報を適切に暗号化することが望ましい。【００８９】
一方、ＴＶ番組録画装置１０３は、ＥＰＧ取得部４１３、放送受信部４１４を持ち、録画受付部４１５の指示に基づいてコンテンツ管理部４１１にコンテンツを蓄積していく。ＥＰＧ取得部４１３は、ＥＰＧ情報を取得する。取得されたＥＰＧ情報は、インデックス作成時のメタ情報として利用される。コンテンツ操作受理部４０３は、ユーザからのコンテンツ再生制御操作を受け付ける。コンテンツ権限管理部４０４は、ユーザに要求されたコンテンツの利用権限があるかを確認する。コンテンツ再生配信部４１０は、指定されたレンダラにコンテンツの再生配信を行う。コンテンツ変換部４１２は、指定されたレンダラでコンテンツを再生するためにコンテンツの変換が必要な場合に、そのレンダラで再生可能な形式に変換する。【００９０】
サムネイル要求受理部４０５は、サムネイル情報の要求を受け取る。サムネイル生成部４０８は、サムネイル情報の要求に応じて、指定されたコンテンツの指定されたタイミングにおけるサムネイルをコンテンツ管理部内のコンテンツより生成する。サムネイル配信部４０９は、サムネイル要求端末に生成されたサムネイル情報を送信する。このサムネイル情報は、リジュームインデックスや、ブックマークインデックスを情報処理端末１０６において作成する際に利用される。【００９１】
次に、上記のように構成されている情報処理端末１０６およびＴＶ番組録画装置１０３の動作を、フローチャートを用いて説明する。図４は、情報処理端末１０６のインデックスの取得および管理の動作を示すフローチャートである。インデックスの取得および管理の動作において、まず、情報処理端末１０６は、インデックス取得部３０１により取得先情報管理部３０１ａを参照して、自動的に取得先へインデックス情報の配信要求を送信する（ステップＳ１）。配信要求を受けたＴＶ番組録画装置１０３は、インデックス情報を情報処理端末１０６へ配信し、情報処理端末１０６は、インデックス情報を取得する（ステップＳ２）。【００９２】
続いて、情報処理端末１０６は、インデックス管理部３０２により取得されたインデックス情報を解析する（ステップＳ３）。そして、情報処理端末１０６は、取得されたインデックス情報を用いてインデックス管理部３０２内のインデックスデータベースを更新し（ステップＳ４）、インデックス情報の取得の処理を終える。【００９３】
図５は、ＴＶ番組録画装置１０３のインデックス配信の動作を示すフローチャートである。インデックス配信の動作において、まず、ＴＶ番組録画装置１０３は、インデックス配信要求受理部４０１により情報処理端末１０６からインデックス情報の配信要求を受信する（ステップＴ１）。次いで、ＴＶ番組録画装置１０３は、インデックス購読管理部４０２により配信要求したユーザに購読の権限があるか否かを判定する（ステップＴ２）。ユーザに購読の権限がないと判定されたときには、ＴＶ番組録画装置１０３は、インデックスの配信要求を拒否し、拒否の情報を情報処理端末１０６に返す（ステップＴ３）。【００９４】
一方、ユーザに購読の権限があると判定されたときには、ＴＶ番組録画装置１０３は、インデックス生成部４０７により配信するインデックス情報の範囲を確定する（ステップＴ４）。そして、ＴＶ番組録画装置１０３は、インデックス生成部４０７により、コンテンツ情報を収集し（ステップＴ５）、インデックス情報を生成する（ステップＴ６）。そして、ＴＶ番組録画装置１０３は、インデックス配信部４０６により、インデックス情報を配信要求のあった情報処理端末１０６に送信し（ステップＴ７）、処理を終える。【００９５】
図６は、情報処理端末１０６のインデックス提示の動作を示すフローチャートである。インデックス提示の動作において、まず、情報処理端末１０６は、インデックス操作部３０５によりユーザによるフォルダの選択の操作を受け付ける（ステップＰ１）。情報処理端末１０６は、インデックス分類部３０３により、選択されたフォルダの分類に該当するインデックスエントリ情報をインデックスデータベースを対象として検索する（ステップＰ２）。情報処理端末１０６は、インデックス提示部３０４によりインデックス情報に基づくインデックスを画面上に表示し（ステップＰ３）、インデックスの提示処理を終了する。【００９６】
図７および図８は、利用可能なコンテンツのインデックスに対する、情報処理端末１０６の再生指示の動作を示すフローチャートである。再生指示の動作において、まず、情報処理端末１０６は、インデックス操作部３０５によりユーザからインデックスを選択する操作を受け付ける（ステップＱ１）。情報処理端末１０６は、インデックス実行解析部３０６により選択されたインデックスに対応するコンテンツの種別を確認し（ステップＱ２）、利用可能なレンダラを確認し（ステップＱ３）、利用可能なレンダラが存在するか否かを判定する（ステップＱ４）。【００９７】
判定の結果、利用可能なレンダラが存在しないと判定された場合には、選択されたインデックスに係るコンテンツが利用できないことを画面に表示し（ステップＱ５）、処理を終了する。一方、利用可能なレンダラが存在すると判定された場合には、情報処理端末１０６は、レンダラ指定部３０９によりレンダラの選択を受付け（ステップＱ６）、コンテンツ利用手順確認部３０７により最初からの再生、またはブックマークからの再生等のコンテンツの利用方法を確認する（ステップＱ７）。コンテンツの利用方法が確認されたら、情報処理端末１０６は、再生指示部３０８により、コンテンツの再生指示を再生装置１０２等のレンダラまたはＴＶ番組録画装置１０３に送信する（ステップＱ８）。そして、情報処理端末１０６は、レンダラにおいてコンテンツの再生が開始されたか否かを判定する（ステップＱ９）。【００９８】
コンテンツの再生が開始されないと判定された場合には、処理を終了する。一方、コンテンツの再生が開始されたと判定された場合には、情報処理端末１０６は、コンテンツの再生状況を検知し、コンテンツの再生が終了したか否かを判定する（ステップＱ１０）。コンテンツの再生が終了していないと判定された場合には、再生制御操作があったか否かを判定する（ステップＱ１１）。再生制御操作がないと判定された場合には、ブックマーク操作があったか否かを判定する（ステップＱ１２）。ブックマーク操作がないと判定された場合には、ステップＱ１０に戻る。【００９９】
一方、ブックマーク操作があったと判定された場合には、ブックマーク操作により指定された位置のサムネイル情報を取得し（ステップＱ１３）、ブックマークインデックス生成部３１５によりブックマークインデックス情報を生成し（ステップＱ１４）、ステップＱ１０へ戻る。【０１００】
ステップＱ１１で、再生制御操作があると判定されたときには、さらに再生中断操作があったか否かを判定する（ステップＱ１５）。再生中断操作がないと判定されたときには、情報処理端末１０６は、操作のあった再生制御を行い（ステップＱ１６）、ステップＱ１０へ戻る。一方、再生中断操作があったと判定されたときには、情報処理端末１０６は、コンテンツの再生指示を行い（ステップＱ１７）、サムネイル生成部４０８によりサムネイル情報を取得し（ステップＱ１８）、リジュームインデックス生成部３１４によりリジュームインデックスを作成し（ステップＱ１９）、ステップＱ１０へ戻る。なお、ステップＱ１０でコンテンツの再生が終了したと判定されたときには、情報処理端末１０６は、インデックス情報を更新し（ステップＱ２０）、終了する。【０１０１】
図９は、情報処理端末１０６およびＴＶ番組録画装置１０３のブックマーク処理の動作を示すシーケンスチャートである。ブックマーク処理の動作において、まず、情報処理端末１０６は操作によりブックマークの取得要求を行う（ステップＲ１）。次に、情報処理端末１０６はサムネイル要求をＴＶ番組録画装置１０３に送信する（ステップＲ２）。【０１０２】
サムネイル要求を受信したＴＶ番組録画装置１０３は、サムネイル生成部４０８によりサムネイル情報を生成し（ステップＲ３）、サムネイル情報を携帯情報端末に送信する（ステップＲ４）。ついで、情報処理端末１０６は、ブックマーク情報を生成し（ステップＲ５）、ブックマーク情報の編集を行う（ステップＲ６）。そして編集されたブックマークを保存する（ステップＲ７）。【０１０３】
図１０は、配信されるインデックス情報の例を示す図である。インデックス情報はＡｔｏｍのＸＭＬ文書として記述される。３行目のｔｉｔｌｅ要素では、インデックスのタイトルが記載されている。また、４行目のｓｕｂｔｉｔｌｅ要素でそのサブタイトル、５行目のＩＤ要素では、インデックスに与えられる一意のＩＤが記述される。６行目のｌｉｎｋ要素では、インデックスソースのアドレスが指定される。７行目から９行目にかけてのａｕｔｈｏｒ要素では、インデックスソースに関する付加情報が記述され、ここでは名前（ｎａｍｅ要素）が指定されている。１０行目のｕｐｄａｔｅｄ要素では、発行者が意味があると考えるような変更がこのインデックスに加えられた日時が記述されている。【０１０４】
１２行目から３３行目にかけては、インデックス情報に含まれる一つのインデックスエントリに関する情報がｅｎｔｒｙ要素により記述されている。図示しないが、３４行目から３６行目、それ以降にも複数のｅｎｔｒｙ要素が含まれうる。このような複数のｅｎｔｒｙ要素では、全体としてコンテンツソースに含まれるすべてあるいは一部のコンテンツの一覧が記述される。【０１０５】
ｅｎｔｒｙ要素の子要素であるｔｉｔｌｅ要素ではそのインデックスエントリのタイトルが記述される。ｌｉｎｋ要素ではそのインデックスエントリのコンテンツの位置を示すアドレスが記述される。ＩＤ要素ではそのエントリに一意に与えられるＩＤが記述される。ｐｕｂｌｉｓｈｅｄ要素はそのエントリが出現した日時を示し、ｕｐｄａｔｅｄ要素はそのエントリが更新された日時を示す。【０１０６】
ｔｖの名前空間（ｎａｍｅｓｐａｃｅ）をもつ要素群は、ＴＶ録画番組を扱うためにＡｔｏｍに拡張された要素群である。ｔｖ：ｓｔａｔｉｏｎＩＤ要素は、録画番組が放送されたチャンネル（放送局）を示す。ｔｖ：ｐｒｏｇｒａｍＳｔａｒｔＤａｔｅＴｉｍｅ要素は、録画番組が放送された開始日時、ｔｖ：ｐｒｏｇｒａｍＥｎｄＤａｔｅＴｉｍｅ要素が録画番組の放送が終了した日時を示す。この３つの情報に基づき、ＴＶ録画番組を一意に決定することができるため、インデックス情報を他者に転送した場合にも、転送されたユーザのＨＤＤレコーダに該当する番組が録画されている場合には、その番組を呼び出すことができる。基本的には、番組が一意に決定できればよいので、番組に与えられる一意の番組ＩＤ等が利用できれば、番組ＩＤにより番組を特定してもよい。【０１０７】
ｔｖ：ｇｅｎｒｅ要素は、番組のジャンルを示すが、複数あってもかまわない。ｔｖ：ｏｒｄｅｒｄ要素は、その番組の録画を指示したユーザ名またはユーザＩＤを示し、ｔｖ：ｏｒｄｅｒｅｄＤａｔｅＴｉｍｅ要素は、録画指示がなされた時刻を示す。これらの情報を基に、特定のユーザが録画予約を行った番組だけ抽出したり、最近録画予約が行われた番組だけ抽出して提示することが可能になる。ｔｖ：ｓｉｚｅ要素は、録画番組のファイルサイズを示し、ｔｖ：ｌｅｎｇｔｈ要素は、コンテンツ時間を示す。ＴＶ：ｍｏｄｅ要素は、録画モードを示し、ｔｖ：ｃｏｕｎｔ要素は、今までそのコンテンツが再生された回数を示す。【０１０８】
２８行目のｃａｔｅｇｏｒｙ要素はそのエントリが所属するカテゴリを示す。図中のｃａｔｅｇｏｒｙ要素の例はＴＶ番組に関するエントリであることを示している。２９行目のｓｕｍｍｅｒｙ要素は、そのエントリに関するサマリを記述している。このｓｕｍｍｅｒｙ要素は、ｔｖ：ｔｈｕｍｂｎａｉｌ−ｈｒｅｆ属性でサムネイルのＵＲＩを示し、内容のテキストで、そのエントリの概要を記述している。【０１０９】
上記以外に、コンテンツ名、コンテンツタイプ、ＤＲＭ情報、再生制御情報（開始位置・ダイジェスト等）、関連ＵＲＩ、代替ＵＲＩ等の情報がインデックスには含まれうる。コンテンツ名は、コンテンツの名称である。コンテンツタイプはコンテンツのメディアタイプを示す。コンテンツタイプとコンテンツサイズにより、利用可能なレンダラが決まる。ＤＲＭ情報は、そのコンテンツの著作権に関する情報、著作権者名、連絡先、ソースＵＲＩ、権限入手先ＵＲＩ、電子署名などである。【０１１０】
再生制御情報は、コンテンツの再生方法を制御するための情報で、たとえばリジューム再生のためのリジュームポイント、ダイジェスト再生を行うためのハイライト時区間の組、それぞれの時区間の再生方法（通常再生、３倍速早送り再生、スロー再生等）の情報である。再生制御情報を用いることで、リジューム視聴、ダイジェスト視聴などの特殊な視聴が可能となる。リジュームインデックスおよびブックマークインデックスは、少なくとも再生開始位置に関する再生制御情報を有する特別なインデックスである。関連ＵＲＩは、そのインデックスエントリの示すコンテンツに関連するＷｅｂページ（ハイパーメディア）のＵＲＩを示す。典型的には、番組公式Ｗｅｂサイト、番組関連ユーザコミュニティなどのＵＲＩが該当する。【０１１１】
代替ＵＲＩは、そのインデックスの示すコンテンツが利用可能でない場合に、アクセスすべきＷｅｂサービスのＵＲＩを示す。典型的には、タイムシフトＶｏＤサービスのＷｅｂページＵＲＬ（ハイパーメディアのＵＲＬ）や、ＤＶＤ販売サイトなどが該当する。【０１１２】
次に、インデックスに対応するコンテンツが利用可能でない場合の情報処理端末１０６の動作について以下に説明する。その場合には、情報処理端末１０６が代替手段をユーザに提供することが望ましい。図１１は、情報処理端末１０６がインデックスの指すコンテンツが利用可能かどうか判定する動作を示すフローチャートである。【０１１３】
図１１に示すように、ユーザ操作によりローカルＵＲＩが選択されたとき、情報処理端末１０６はローカルＵＲＩが有効（利用可能）であるか否かを判定する（ステップＭ１）。ローカルＵＲＩとは、ファイルパスなどローカルでのみ有効なＵＲＩである。インデックス作成環境と、インデックスの利用環境が同一の場合には、ローカルＵＲＩを用いてコンテンツを特定し、これを取得することが可能である。図１０のインデックスにおいてはｌｉｎｋ要素の示すＵＲＩがローカルＵＲＩに該当する。【０１１４】
ローカルＵＲＩが利用可能でないと判定された場合には、グローバルＵＲＩが利用可能か判定する（ステップＭ２）。コンテンツがＴＶ番組の場合には番組の放送チャンネルと放送時間がグローバルＵＲＩに該当する。これらの情報から、インデックスが示すリソースと同等のソースが利用可能であるかどうか検索を行う。図１０のインデックスにおいては、ｔｖ：ｓｔａｔｉｏｎＩＤ要素とｔｖ：ｐｒｏｇｒａｍＳｔａｒｔＤａｔｅＴｉｍｅ要素およびｔｖ：ｐｒｏｇｒａｍＥｎｄＤａｔｅＴｉｍｅ要素がグローバルＵＲＩに該当する。【０１１５】
グローバルＵＲＩも利用可能でないと判定された場合には代替手段が用意されているか確認する（ステップＭ３）。代替手段が用意されてないと判定された場合には、エラーを提示し（ステップＭ４）、判定動作を終了する。一方、インデックスが指すコンテンツが利用可能でない場合の代替手段がインデックス内に記載されていたり、予め定められていると判定された場合には、代替手段をユーザに提示し（ステップＭ５）、判定動作を終了する。ステップＭ１またはＭ２においてＵＲＩが有効であると判定された場合には、それぞれインデックスの再生処理を行い（ステップＭ６）、判定動作を終了する。【０１１６】
図１２は、利用不可能なコンテンツが指定された際の画面遷移の例を示している。インデックス一覧画面１２０１でユーザがインデックスを選択すると、情報処理端末１０６は、コンテンツの利用可能性の確認を行う。そして、利用できない場合には、情報処理端末１０６は、エラー提示画面１２０２でエラー提示するか、もしくは代替ＵＲＩ提示画面１２０３で代替手段の提示を行う。また、点線の矢印で示すように、まずレンダラ選択画面１２０３を表示し、ユーザからレンダラの指定を受け、レンダラの指定の後にコンテンツの利用可能性の確認を行ってもかまわない。確認のタイミングは任意である。【０１１７】
なお、インデックスに代替ＵＲＩが設定されていない場合には、エラー提示画面１２０２で単にエラーメッセージを表示して終了するが、代替ＵＲＩが設定されている場合には、問い合せ画面１２０４でユーザに代替ＵＲＩにアクセスするか問合せ、ユーザが了承すれば代替ＵＲＩにアクセスを行う。代替ＵＲＩでは、指定されたコンテンツを何らかの形でユーザが利用可能になるようなサービスを提供する。たとえば、ＴＶ番組に対するタイムシフト視聴サービスやＤＶＤ販売サービス、Ｗｅｂページ（ハイパーメディア）によりあらすじなどを紹介するサービスなどが望ましい。【０１１８】
図１３は、取得されたブックマークインデックス情報の記述例を示す図である。基本的なスキーマは図１０のインデックス情報と同等である。ブックマークはインデックスの一形態である。２１行目ｔｖ：ｂｏｏｋｍａｒｋＳｔａｒｔＤａｔｅＴｉｍｅ要素において、ブックマーク設定画面１３２０で設定したブックマークの開始時刻が記述される。また、２２行目、ｔｖ：ｂｏｏｋｍａｒｋＥｎｄＤａｔｅＴｉｍｅ要素において、ブックマーク設定画面１３２３で設定したブックマークの終了時刻が記述される。図１３の例では、再生開始時刻と再生終了時刻の組が１組だけしか記載されていないが、複数続けて記述することも可能である。【０１１９】
また、ｔｖ：ｂｏｏｋｍａｒｋＴｉｔｌｅ要素ではタイトル入力部１３２９に入力したブックマークのタイトルが記述される。ｔｖ：ｂｏｏｋｍａｒｋＣｏｍｍｅｎｔ要素では、コメント入力部１３３２に入力したブックマークコメントが記述される。ｔｖ：ｂｏｏｋｍａｒｋｅｄ要素ではブックマークを設定したユーザ名またはユーザＩＤが指定される。【０１２０】
図１４は、情報処理端末１０６におけるＵＩ（Ｕｓｅｒ  Ｉｎｔｅｒｆａｃｅ）の例を示す図である。カテゴリ一覧画面１３０１は取得したインデックスをカテゴリごとに階層化して提示したものである。録画番組フォルダ１３０５にはＨＤＤレコーダで録画した番組情報の一覧が分類される。写真フォルダ１３０６にはデジタルカメラで撮影した写真情報が分類され、ムービーフォルダ１３０７にはビデオ撮影したムービー情報が分類される。音楽フォルダ１３０８にはＣＤからリッピングした音楽やオンラインショップから購入した音楽が分類される。これらのフォルダは仮想的なものであり、同一のインデックスエントリが複数のフォルダに分類される場合もある。【０１２１】
このインタフェースでは、ＲＳＳ／Ａｔｏｍによりユーザはインターネット上で配信される情報も同様に扱える。カテゴリ１３０４に示される番組はインターネット上のサービスプロバイダが提供するオススメのテレビ番組リストである。リスト中の番組が自宅のメディアサーバに蓄積されていれば、ユーザはレンダラに再生させることができる。そうでない場合には、情報処理端末１０６は、視聴できない旨を表示するか、当該番組の購入サイトにアクセスする。【０１２２】
インターネットフォルダ１３０９には、Ｗｅｂページ上で配信されているポッドキャスティングやＷｅｂページの更新情報などが通常のＲＳＳアグリゲータと同様に分類整理されて提示されている。ユーザがインターネットフォルダ１３０９内に蓄積されているインデックスを選択すると、情報処理端末１０６は、Ｗｅｂブラウザ（ブラウザ）等でＲＳＳ／Ａｔｏｍが指すＵＲＬにアクセスし、コンテンツを取得する。この場合コンテンツの取得先がホームネットワーク内ではなく、コンテンツの取得手順もホームネットワーク内のコンテンツの取得手順とは異なるが、ユーザはその違いを認識する必要が無い。すなわち、ユーザがコンテンツにアクセスするために行う操作は、リストから所望のコンテンツを選択するだけであり、ＴＶ番組録画装置１０３にアクセスするための操作と変わらない。【０１２３】
メールボックス１３１０には他のユーザから送信されたコンテンツのインデックス情報が分類される。そのコンテンツがテレビ番組などの放送コンテンツであって、自宅のメディアサーバに蓄積されていれば、ユーザはそのコンテンツ、すなわち同一の番組を見ることができる。【０１２４】
中断フォルダ１３１１には、あるコンテンツの再生を途中で止めたときに、後にその時点からリジューム再生するためのリジュームインデックス情報が分類される。いずれかのレンダラで再生を中断した際に、情報処理端末１０６は中断を感知し、リジューム用のインデックスを生成する。ユーザはリジューム用インデックスを用いることで、中断コンテンツをリジューム視聴できる。この際レンダラが前回視聴時と変わっても再生に問題はない。ここであげた分類フォルダは一例であり、他にも登録日付別や新着コンテンツ、ジャンル別分類、コンテンツソース別分類などさまざまな分類方法が考えられる。【０１２５】
図１５は、インデックス情報が端末間で転送される様子を模式的に示す図である。あるコンテンツのインデックス一覧画面１３０２から所望のコンテンツを選択し、メニュー画面１３１６に示すメニューから送信を選択することができる。さらに転送先アドレスや、サブジェクト、メッセージ本文などを付加して、所望のユーザに転送すると、転送先のユーザの端末ではカテゴリ一覧画面１３０１のメールボックスに転送元と同じインデックス情報が分類される。メールボックスには、番組サムネイル１３１２、概要１３１３と共に、メッセージ本文１３１７が表示される。ユーザは、インデックスを選択することで、その番組がローカルのコンテンツソースに保存されている場合には、指定された番組をブックマークの指定する開始時刻等の情報に基づいて視聴することができる。【０１２６】
図１６は、ユーザがブックマークを設定する際の画面表示例を示したものである。レンダラ選択画面１３０３においてレンダラを指定し、再生処理を開始した後、情報処理端末１０６には、当該レンダラにおける当該コンテンツの再生に適した再生制御画面１３１８がＵＩ  ＳｅｒｖｅｒよりＵＰｎＰ  ＲＵＩ（Ｒｅｍｏｔｅ  Ｕｓｅｒ  Ｉｎｔｅｒｆａｃｅ）の枠組みにしたがって配信される。再生制御ボタン１３２６はコンテンツの再生を制御するための早送り／巻き戻し／一時停止ボタンであり、これらをクリックすることで対応するコマンドが送信され、コンテンツの再生制御を行うことができる。プログレスバー１３２７はコンテンツの再生状況を示すバーである。その左下の数字はコンテンツ再生からの経過時間を、右下の数字は残り時間を示している。メニューボタン１３２８を押すと、表示画面１３１９に示すようにコンテンツに対して行える付加的な操作がメニュー一覧で表示される。【０１２７】
メニュー画面１３１９において、「ブックマーク」の選択肢を選択すると、ブックマーク設定画面１３２０が表示される。ブックマークが選択されたタイミングにおいて、現在視聴中の番組に対してブックマークが設定され、タイトル（Ｔｉｔｌｅ）、放送チャネル（Ｃｈ）、ブックマーク開始時刻（Ｓｔａｒｔ）などのその番組に関するメタ情報１３３０に加え、その番組のサムネイル１３３１が、再生装置１０２より取得、設定される。ここでメタ情報１３３０は、その番組のインデックス情報より取得されるが、別の手段を用いてＥＰＧなどから改めて取得してもよい。【０１２８】
ユーザは、コメント入力部１３３２に自由にコメントを入力することができる。コメント入力部１３３２の初期値は空欄であるが、初期値が与えられているタイトルに関しても、別のものに変更することができる。これらのタイトルやコメントは後に所望のインデックスを検索するときに利用される。メニューを押すと、メニュー画面１３２１が表示される。ユーザは、このメニュー画面１３２１で、開始位置、終了位置の設定、サムネイルの設定を行える。【０１２９】
メニュー画面１３２１においてユーザが、「終了位置の設定」の選択肢を選択すると、表示画面に画面１３２２が表示され、ブックマークの終了位置を設定できる。ブックマークに開始位置しか設定されていない場合には、後にブックマークを呼び出した際に、指定されたレンダラによって、ブックマークに設定された開始位置から再生が開始され、そのまま当該コンテンツの最後まで再生が続く。ブックマークに終了位置が設定されている場合には、設定された終了位置において再生が停止する。なお、ブックマークの仕様上は、再生位置と終了位置の組は複数設定することも可能であり、ある一連の番組（群）のお気に入り部分だけを抽出したダイジェスト的なブックマークを作成することも可能である。【０１３０】
ブックマークの指示があった際に、再生装置１０２はコンテンツの再生を続ける。情報処理端末１０６の再生制御画面１３２２にはＢＯＯＫＭＡＲＫマーク１３３３が表示され、ブックマークを設定中であることが示される。すなわち、ブックマークの開始位置あるいは終了位置の一方のみが設定された状態で、もう一方の設定待機状態になる。ブックマーク開始位置からの差分がプログレスバー１３３５に示されると共に、ブックマーク継続時間１３３６が表示される。所望のタイミングでユーザがＥＮＤボタン１３３４を選択すると、ブックマークの終了位置が確定し、ブックマーク設定画面１３２３においてブックマーク終了時刻１３３７（Ｅｎｄ）が設定される。ここで「ＯＫ」を選択すると、ブックマークインデックス情報が生成され、インデックス管理部３０２の管理下におかれる。【０１３１】
一方、メニュー画面１３２１において「サムネイル選択」を選択した際には、サムネイル選択画面１３２４が表示される。番組自体のタイトル画面に加えて、ブックマーク開始時刻から終了時刻までの間においてシーン抽出手段で取得された画面一覧が表示され、ユーザはスクロールバー１３３８により、画面を切り替えて、その中から所望のサムネイルを選択することができる。シーン抽出技術を用いて、タイトル画面など特徴的な画面を取得するため、後でブックマークを検索する際に、ユーザが選択をしやすくなる。一方、メニュー画面１３２５からは、カメラ画像や、ダウンロードした画像、内蔵データなど、その他の画像をメニューとして提示する。ユーザはメニューからサムネイルに設定する画像を選択することができる。【０１３２】
図１７は、情報処理端末１０６におけるＵＩの例を示す図である。フィードリスト画面１６０１では、インデックスが日付／チャンネルのツリー構造で分類されて表示されており、フィードリスト画面１６０２では、インデックスが日付／ジャンルのツリー構造で分類されて表示されている。このように各インデックスエントリの分類の仕方は、千差万別であり、ユーザによってカスタマイズ可能であることが望ましい。分類は各インデックスエントリに付随する属性情報に基づき自動的に行われる。一方で、ブックマークインデックスなどユーザが主体的に取得したものに関しては、別途別ツリー下に管理されることが望ましい。ブックマークインデックスも日々自動的に生成される通常のインデックスと同じツリー下に管理されてもかまわないが、少なくともブックマークインデックスやレジュームインデックス情報など特別なインデックスに関しては、他と様態を変えて表示するなどのアクセシビリティを考慮した管理がされるべきである。【０１３３】
フィードリスト画面１６０１において各ブックマークエントリは、開始時刻と番組タイトルという形式で表示されている。ツリーの各フォルダの横に記載されている括弧付の数字１６０４は、それぞれのフォルダに含まれる未視聴エントリの数を示す。フィードリスト画面１６０２では別の表示方法の例を示しており、括弧付の数字１６０６は、それぞれのフォルダに含まれる未視聴エントリの数／全エントリの数を示している。【０１３４】
フィードリスト画面１６０２において、グレーアウト表示されているインデックスエントリ１６０７は、利用可能でないエントリを示す。このエントリは、まだ放送時刻になっていないため、録画が完了しておらず、現時点では選択しても該当する番組を視聴することができないことを表示している。エントリが利用可能でない場合は他にも考えられ、放送日時は過ぎているが録画されていないエントリや、視聴するために課金が発生するエントリ、ペアレンタルロックの対象になっているエントリなどが考えられる。ドラマなどの連続番組の場合、前回分を視聴するまでは、利用可能にならないという制御も可能である。【０１３５】
フィードリスト画面１６０３はフィードリスト画面１６０１において選択中のインデックスエントリ１６０５を実行した場合にダイアログ１６０８が表示された画面例を示している。ダイアログには番組の放送チャンネル、放送日時、概要などのメタ情報に加え、視聴率、評価など別途サービスから提供される提供情報１６０９が表示されている。情報処理端末１０６では、これらの情報を元にソーシャルフィルタリングを行うことも可能である。【０１３６】
フィードリスト画面１６０３において、「視聴」の選択肢を選択するとそのコンテンツが再生可能であるならば情報処理端末１０６は、再生指示を出し、再生装置１０２に再生させる。情報処理端末１０６では、視聴可能でないときに、オンラインＶｏＤサービスへ接続するなど代替サービスを提供することもできる。これらの代替サービスのＵＲＩはインデックス情報の一部として提供されることが望ましい。【０１３７】
一方、情報処理端末１０６で「視聴予約」の選択肢を選択すると、そのコンテンツの視聴を予約することができる。ユーザが帰宅中などに帰宅後家で見るべきコンテンツを抽出して、視聴予約しておき、帰宅後すぐに予約した番組を自宅のテレビで視聴可能にするための機能である。技術的には、視聴予約された複数の番組をまとめたブックマークインデックス情報を生成し、ユーザの要求に応じて、その情報に基づくブックマークを利用するだけである。【０１３８】
「消去」の選択肢を選択した場合には、情報処理端末１０６は、選択されたインデックスの消去を行う。必要ならば、インデックスの消去と連動して、ＴＶ番組録画装置１０３に蓄積されているコンテンツ自体の削除が行えるように構成してもよい。【０１３９】
「Ｗｅｂ」の選択肢を選択した場合には、情報処理端末１０６は、インデックスが示すコンテンツに関連するＷｅｂページへのリンク一覧を表示する。ここで示されるＵＲＩはインデックスの一部として提供されていてもよいし、メタ情報に含まれる文字列などから検索を行ってもよい。各番組ごとに関連ＵＲＩを管理するシステム（図示せず）に番組情報を提供することで、そのシステムから関連ＵＲＩの提供を受けてもよい。同様に「関連番組サーチ」の選択肢を選択した場合には、情報処理端末１０６はインデックスが示すコンテンツに関連する別の番組を検索・表示する。検索の要求を受けたシステムは、多くの人の視聴行動から、あわせて視聴される可能性が高い番組を抽出するなどの方法で、コンテンツに関連する別の番組の情報を提供する。【０１４０】
本実施の形態に示すようにあらゆるネットワークコンテンツをユーザの所持する携帯端末を通して利用するようになれば、情報処理端末１０６にはユーザのコンテンツ利用履歴が蓄積される。図１８は、コンテンツの利用履歴を表示する利用履歴表示画面の例を示す図である。利用履歴表示画面１７０１ではユーザが利用したコンテンツ一覧が時系列に沿って表示されている。ユーザは利用履歴表示画面１７０１からインデックスを選択することにより、一度利用したコンテンツを簡単に再度利用することができる。【０１４１】
利用履歴表示画面１７０１には、視聴したテレビ番組、利用したオフィス文書、通話記録、視聴した音楽、利用したブックマーク、視聴したＰｏｄｃａｓｔのコンテンツ、アクセスしたＷｅｂページ（ハイパーメディア）、確認した玄関ドアカメラ映像など、情報処理端末１０６を通して利用したあらゆるコンテンツが一覧で表示される。履歴は日単位や月単位など任意の形態で確認できることが望ましい。利用履歴表示画面１７０２は、履歴をサムネイルと簡単なメタデータとともに表示する。履歴情報を活用するためにはこのようにメタデータをユーザに提供することが望ましい。【０１４２】
利用履歴表示画面１７０３は、履歴中のＴＶ番組に関するタイトルのみを抽出し表示している。情報処理端末１０６が多くのコンテンツを統一的に扱うとコンテンツの数が膨大になり、ユーザの利便性が低下する場合がある。たとえば、ユーザがＴＶの前にいて、ＴＶを見たいときにはＴＶ番組に関する履歴だけが選別して表示されることがユーザにとって望ましい。利用履歴表示画面１７０３でユーザがレンダラを先に選択したり、コンテンツの種類を選択したりすることを可能にすることで、情報処理端末１０６は表示されるコンテンツの数を絞っている。利用履歴表示画面１７０４は、メタデータとともにＴＶ番組履歴を表示している。【０１４３】
上記のように個人のコンテンツ利用履歴を情報処理端末１０６に蓄積し、それらをサービス提供者側に提供することで、さまざまなサービスをコンテンツ利用履歴に基づいてパーソナライズすることも可能になる。図１９は、情報処理端末のパーソナライズ画面表示例を示す図である。パーソナライズ画面１８０１は、ＴＶ番組「ちびしかくこちゃん」のコンテンツを視聴したユーザに対するサービスをパーソナライズして表示している。パーソナライズ画面１８０２では、情報処理端末１０６は、「ちびしかくこちゃん」を見たユーザがよく見る他の番組のインデックスを選択可能に提示している。また、パーソナライズ画面１８０２に示すように、情報処理端末１０６は、「ちびしかくこちゃん」を見たユーザが現在録画予約している番組のインデックスを選択可能に提示することを可能にしている。また、パーソナライズ画面１８０３に示すように、情報処理端末１０６は、「ちびしかくこちゃん」を見たユーザが共通して購入する傾向のある本を提示することも可能にする。このように、情報処理端末１０６は、関連ＵＲＩについて、ジャンプ元のインデックスの情報に基づいて、サービスをパーソナライズすることを可能にする。なお、ユーザのコンテンツ利用履歴は高度な個人情報となるため、信頼済みのサイトにしか提供せず、他に漏洩することがないように管理されることが望ましい。【０１４４】
（実施形態２）
上記の実施形態では、ＴＶ番組録画装置１０３がコンテンツソースかつインデックスソースであるが、インデックス配信サーバ（録画番組情報配信サーバ）がインデックス情報を管理し、インデックスソースとして機能する実施形態としてもよい。図２０は、実施形態２の情報処理システムの構成例を示す概念図である。図２０に示す例においては、ＴＶ番組録画装置１０３、１０４の提供するコンテンツリストを基にインデックス配信サーバ１０７がインデックスを生成し、情報処理端末１０６に提供する。ＤＬＮＡに対応したＨＤＤレコーダはＤＭＳ（Ｄｉｇｉｔａｌ  Ｍｅｄｉａ  Ｓｅｒｖｅｒ）として稼動するため、コンテンツリストをＤＭＣ（Ｄｉｇｉｔａｌ  Ｍｅｄｉａ  Ｃｏｎｔｒｏｌｅｒ）に対し提供する機能を有している。そこで、インデックス配信サーバ１０７はＤＭＣとしてコンテンツソースに対し、コンテンツリストを要求し、コンテンツソースに代わって情報処理端末１０６にインデックスを提供することができる。ここで、複数のコンテンツソースに重複して録画されている番組をまとめるなど配信するインデックスの最適化を行うことも可能である。【０１４５】
（実施形態３）
上記の実施形態においては、インデックスの管理は情報処理端末１０６上で行うが、インデックスの管理をネットワーク上のサーバで行うこともできる。図２１は、実施形態３の情報処理システムの構成例を示す概念図である。図２１に示す情報処理システムは、Ｗｅｂポータルシステム１０８（録画番組情報配信サーバ）上でインデックスの管理を行うシステムである。【０１４６】
ＴＶ番組録画装置１０３および１０４は、内部で蓄積されているコンテンツリストをＷｅｂポータルシステム１０８に提供する。Ｗｅｂポータルシステム１０８はコンテンツリストに基づきインデックス情報を生成、管理し、情報処理端末１０６からの要求に応じて、管理されているインデックス情報を分類し、インデックスを表示する。ＴＶ番組録画装置１０３および１０４がインデックス情報を生成し、Ｗｅｂポータルシステム１０８に提供してもかまわない。Ｗｅｂポータルシステム１０８はインターネットの他のサービスから提供されるＲＳＳフィードなどとあわせて情報処理端末１０６に情報提供することができる。【０１４７】
図２２は、Ｗｅｂポータルシステム１０８が提供するＷｅｂページの表示画面例を示す図である。Ｗｅｂページ全体の検索ボックスや、ＣＭＭニュースのフィード情報などと合わせてＨＤＤ  Ｒｅｃｏｒｄｅｒ  Ｘ６９０００の蓄積コンテンツのフィード情報が一覧表示されている。ユーザは提供されるリンクを選択することで、他のＷｅｂページやメディアに遷移したり、ホームネットワーク内の番組録画装置に蓄積されているコンテンツの視聴を行うことができる。このように、インデックスを用いてホームネットワーク内のコンテンツの情報を提供することで、ユーザはコンテンツの蓄積位置を意識することなく、インターネット上のコンテンツへのアクセスと同じやり方で、ホームネットワーク内のコンテンツにアクセスし、利用することが可能になる。【０１４８】
また、インデックス実行解析部３０６は、選択されたインデックスエントリがＷｅｂの更新情報を示すＲＳＳ／Ａｔｏｍフィードであるならば、ブラウザ起動部３１０によりそのインデックスが示すコンテンツにアクセスさせる。また、ネットワークを経由したインデックス配信を行う際には、インデックス情報が適切に暗号化されることが望ましい。【０１４９】
（実施形態４）
上記の実施形態では、Ｗｅｂページ情報（ハイパーメディアの情報）とインデックス情報（録画番組情報）は独立に扱われているが、これらの情報を相互に連携させることとしてもよい。すなわち、本発明の情報処理システムでは、上記のとおりＴＶ番組の視聴がＷｅｂページ（ハイパーメディア）の閲覧と同様に扱えるため、ＷｅｂページにおいてＴＶ番組をリンクして利用することが簡単に行える。図２３は、ＴＶ番組へのリンクを含むＷｅｂページのＨＴＭＬファイルを示す図であり、図２４は、図２３に示すＨＴＭＬファイルにより描画されたＷｅｂブラウザにおける描画例を示す図である。【０１５０】
情報処理端末１０６は、ユーザからＷｅｂページを閲覧する操作を受けたとき、Ｗｅｂブラウザを起動し、ＷｅｂサーバにＷｅｂページを要求する。Ｗｅｂサーバは、あらかじめＴＶブラウザにリンクするように記述されたＨＴＭＬファイルや音声や画像などのマルチメディアファイルを蓄積しており、端末から要求があった場合には、このＨＴＭＬファイルおよび必要なマルチメディアファイルを送信する。情報処理端末１０６は、ブラウザ起動部３１０により取得したＷｅｂページを表示する。【０１５１】
このとき、ブラウザ起動部３１０は、Ｗｅｂページの情報に番組に対するリンク情報が含まれる場合には、Ｗｅｂページの情報が提示される際に、番組へのリンクを選択可能に提示する。ユーザが、提示された番組のうち一つの番組へのリンクを選択した場合には、情報処理端末１０６は、リンク情報に基づいてＴＶ番組録画装置１０３に選択されたリンクに係る番組の再生指示を送信する。その際には、再生指示部３０８が、ユーザにより選択されたリンクに係る番組の再生指示を、直接または間接的にＴＶ番組録画装置に与える。【０１５２】
上記のようなＷｅｂページからＴＶ番組へのリンクだけではなく、その逆方向のリンクも可能である。インデックス提示部３０４は、インデックス情報にＷｅｂページへのリンク情報が含まれる場合には、インデックス情報が提示される際に、Ｗｅｂページへのリンクを選択可能に提示する。Ｗｅｂページへのリンクがユーザにより選択されたときには、ブラウザ起動部３１０が、選択されたＷｅｂページを表示する。このようにして、ＴＶ番組からＷｅｂページへのリンクも可能となる。【０１５３】
図２３に示す例では、ＨＴＭＬファイル上部のｉｆｒａｍｅ要素において、ＭＨＫテレビ局が２００７年０９月１２日１８：００〜２００７年０９月１２日１８：３０にかけて放送したＴＶ番組がリンクされている。そして、図２４の描画例ではそのＴＶ番組がリンクされた部分についてサムネイルが表示されている。またａ要素において同じ番組が文中でリンクされている。ユーザによりＷｅｂブラウザ（ブラウザ）上でこれらのサムネイルやリンクがクリックされた際に、情報処理端末１０６は、該当番組がユーザのＨＤＤレコーダに録画されており利用可能か否かをＴＶ番組録画装置１０４に問い合わせる。問合せを受けたＴＶ番組録画装置１０４は、その番組が利用可能か否かを判断する。そして、上記の実施形態と同様の処理を行い、所定のレンダラにおいて指定された時刻からその再生を始める。なお、その際に必要ならば、情報処理端末１０６はユーザから所望のレンダラの指定を受け付けて所望のレンダラで再生可能なように適宜処理する。利用可能でない場合には、ＴＶ番組録画装置１０４は、情報処理端末１０６に利用不可能であることを示す情報を送信し、情報処理端末１０６は利用不可能であることを表示してユーザに通知する。【０１５４】
上記の例では、リンクの指定にＴＶ番組の放送局と放送時間の情報を利用しているが、ＵＲＩによる直接指定や、設定ファイルによる間接指定など別の指定方法を使ってもかまわない。また、単一の番組ではなく、複数の番組の一部分をつなぎ合わせたダイジェストにリンクを設定することも可能である。その場合には、放送局と放送時間の情報の組が複数指定される。【０１５５】
このようにＷｅｂページからＴＶ番組へのリンク、あるいはその逆方向のリンクが可能になるため、情報処理端末１０６に配信されるインデックス情報とＷｅｂページ情報とは互いに関連する。その結果、さらにユーザの利便性が向上する。本発明では、インデックス情報とＷｅｂページ情報とを統合されたインタフェースで扱うことができるので、その関連性を利用した処理を行うことができる。たとえば、図２３、２４に示したＷｅｂページの情報と、当該Ｗｅｂページで参照されているＴＶ番組の番組情報とを情報処理端末１０６が受信し管理している場合を考える。当該ＴＶ番組はＴＶ番組録画装置１０３において録画され蓄積されているものとする。【０１５６】
図２５は、情報処理端末１０６におけるＵＩ（ユーザインタフェース）の例を示す図である。ユーザは図２５に示すＵＩでそれらの情報を管理することができる。情報処理端末１０６において、インデックス情報は録画番組フォルダ１３０５に対応して、Ｗｅｂページ情報はインターネットフォルダ１３０９に対応して格納されている。エントリーリスト画面１３０２においては、「ＬＩＮＫＥＤ」と表記されたアイコン３００４が付加されている。これは、自分が購読しているＷｅｂページのＲＳＳフィードや受信したメール等、情報処理端末１０６で管理しているインデックスの中に、当該ＴＶ番組をリンクしているものが存在することを示している。【０１５７】
インデックス管理部３０２はインデックス取得部３０１が新たなインデックス情報を受信すると、インデックス同士のリンク関係の分析を行い、ＬＩＮＫＥＤアイコンの付加処理を行う。ここでは単純な解析しか行っていないが、Ｇｏｏｇｌｅ（登録商標）で行われているようなリンク関係に基づく重要度判定などの処理を行ってもよい。たとえば、ＬＩＮＫＥＤアイコンを被リンク数だけ表示することができる。その場合、多くリンクされているＴＶ番組にはＬＩＮＫＥＤアイコンが多数並ぶので、ユーザは自分が購読しているＷｅｂページにおいて話題の番組であることが分かる。購読するＷｅｂページはユーザの嗜好を強く反映していると考えられるので、そこで取り上げられているということは当該ユーザにとっても何らかの価値のある情報であると考えられる。こうした統合処理を行うことでユーザの利便性が向上する。【０１５８】
情報処理端末１０６は、ユーザから画面上のＬＩＮＫＥＤアイコン３００４の選択を受けると、当該ＴＶ番組をリンクしているＷｅｂページ情報３００３を呼び出す。複数のインデックスからリンクされている場合には、情報処理端末１０６は、複数のインデックスの一覧画面を選択可能に表示し、ユーザから選択操作を受け付ける。一方、ユーザからＷｅｂページ情報中のＴＶ番組へのリンク３００７が選択されると、情報処理端末１０６は、ＴＶ番組録画装置１０３に選択情報を送信し、ＴＶ番組録画装置１０３が情報を処理し、レンダラが動作することで当該ＴＶ番組を再生できる。なお、情報処理端末１０６ではエントリーリスト画面１３０２で選択されたＴＶ番組を表示してもよいし、レンダラ選択画面１３０３でレンダラの選択を提示した後、選択されたＴＶ番組の詳細情報を表示してもよい。また、ユーザによりタイトルの日付に設定されているリンクが選択された場合、ブラウザが起動し、情報処理端末１０６は選択されたリンクにより繋がるＷｅｂページを表示する。【０１５９】
なお、図２５の表示例では、★のアイコンによってブックマークを表現している。たとえばＴＶ番組にリンクを張っているＷｅｂページ情報３００３をユーザがブックマークに登録すると、情報処理端末１０６はＷｅｂページ情報３００３に対応付けてブックマーク情報を記憶する。そして、画面表示では、登録したＷｅｂページ情報とともに★のアイコン３００６を表示する。そして、情報処理端末１０６は、登録したＷｅｂページ情報に含まれるＴＶ番組情報が表示される場合にもブックマークのアイコンを表示する処理を行い、表示画面ではＷｅｂページ情報３００３に対するブックマークに連動して当該ＴＶ番組情報にも★のアイコン３００５を表示する。このような連動を行うことで、リンクされたＴＶ番組が誤って消去されるなどの不都合を回避することができる。たとえば、ブックマークのアイコン★が付加された情報を消去しようとした際に、確認メッセージを表示してユーザに再考を促すことができる。
【図１】
2008075618.tif 000003
【図２】
2008075618.tif 000004
【図３】
2008075618.tif 000005
【図４】
2008075618.tif 000006
【図５】
2008075618.tif 000007
【図６】
2008075618.tif 000008
【図７】
2008075618.tif 000009
【図８】
2008075618.tif 000010
【図９】
2008075618.tif 000011
【図１０】
2008075618.tif 000012
【図１１】
2008075618.tif 000013
【図１２】
2008075618.tif 000014
【図１３】
2008075618.tif 000015
【図１４】
2008075618.tif 000016
【図１５】
2008075618.tif 000017
【図１６】
2008075618.tif 000018
【図１７】
2008075618.tif 000019
【図１８】
2008075618.tif 000020
【図１９】
2008075618.tif 000021
【図２０】
2008075618.tif 000022
【図２１】
2008075618.tif 000023
【図２２】
2008075618.tif 000024
【図２３】
2008075618.tif 000025
【図２４】
2008075618.tif 000026
【図２５】
2008075618.tif 000027
【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
ＴＶ番組録画装置に録画される録画番組の情報であって前記ＴＶ番組録画装置に固有な録画番組情報を取得するための取得先情報をコンテンツソースごとに管理するとともに、ハイパーメディアの更新情報を取得するための取得先情報をコンテンツソースごとに管理する取得先情報管理部と、
前記管理されている取得先情報に基づいて、自動的に前記取得先にアクセスし、前記録画番組情報および前記更新情報を取得する録画番組情報取得部と、
前記録画番組情報により特定される各番組をそれぞれの属するカテゴリに分類する録画番組情報分類部と、
前記各番組の属するカテゴリを表示し、かつ前記各番組を選択可能に提示するとともに、前記ハイパーメディアの情報を前記各番組の提示と同一のインタフェース上で選択可能に提示する録画番組情報提示部と、
前記提示された番組のうちユーザにより選択された番組の再生指示を、直接または間接的に前記ＴＶ番組録画装置に与える再生指示部と、を備え、
前記再生指示を受けたＴＶ番組録画装置に、いずれかの再生装置に前記選択された番組のデータを配信させ、番組を再生させ、
ユーザにより前記ハイパーメディアの情報が選択された場合には、ブラウザを起動し前記選択された情報に係る取得先にアクセスすることを特徴とする情報処理端末。
【請求項２】
（削除）
【請求項３】
前記取得先情報は、前記ＴＶ番組録画装置の情報を含み、
前記録画番組情報取得部は、前記取得先情報に基づいて、自動的に前記ＴＶ番組録画装置にアクセスし、前記録画番組情報を取得することを特徴とする請求項１に記載の情報処理端末。
【請求項４】
前記取得先情報は、前記ＴＶ番組録画装置と接続された録画番組情報配信サーバの情報を含み、
前記録画番組情報取得部は、前記取得先情報に基づいて、自動的に前記録画番組情報配信サーバにアクセスし、前記録画番組情報を取得することを特徴とする請求項１から請求項３のいずれかに記載の情報処理端末。
【請求項５】
前記録画番組情報は、番組のタイトル、静止画または動画から構成されるサムネイル、番組の録画日時および放送チャネルの情報を含み、
前記録画番組情報提示部は、前記録画番組情報として取得された情報のうち、番組のタイトル、静止画もしくは動画から構成されるサムネイル、番組の録画日時または放送チャネルの情報のいずれかを用いて、前記録画番組情報により特定される番組を提示することを特徴とする請求項１から請求項４のいずれかに記載の情報処理端末。
【請求項６】
前記録画番組情報は、少なくとも番組の録画日時の情報を含み、
前記録画番組情報分類部は、前記録画番組情報に含まれる録画日時の情報に基づき、前記最近録画された番組を、最近録画された番組のカテゴリとして分類し、
前記録画番組情報提示部は、前記最近録画された番組を、最近録画された番組のカテゴリとして一覧にして提示することを特徴とする請求項１から請求項５のいずれかに記載の情報処理端末。
【請求項７】
番組ごとに再生履歴を管理する再生履歴管理部をさらに備え、
前記録画番組情報分類部は、前記再生履歴管理部を参照して、未再生の番組として管理されている番組と、既再生の番組として管理されている番組とを分類し、
前記録画番組情報提示部は、前記分類の結果から前記未再生と既再生とがユーザに識別できるように前記各番組を提示することを特徴とする請求項１から請求項６のいずれかに記載の情報処理端末。
【請求項８】
番組ごとに再生履歴を管理する再生履歴管理部をさらに備え、
前記録画番組情報分類部は、前記再生履歴管理部を参照して、未再生の番組として管理された番組と、既再生の番組として管理された番組とを分類し、
前記録画番組情報提示部は、前記分類の結果から前記各カテゴリ内の未再生番組の番組数を、前記各カテゴリに対応付けて提示することを特徴とする請求項１から請求項６のいずれかに記載の情報処理端末。
【請求項９】
番組ごとに再生履歴を管理する再生履歴管理部をさらに備え、
前記録画番組情報分類部は、前記再生履歴管理部を参照して、未再生の番組として管理された番組と、既再生の番組として管理された番組とを分類し、
前記録画番組情報提示部は、前記分類の結果から、前記未再生の番組のみを提示することを特徴とする請求項１から請求項６のいずれかに記載の情報処理端末。
【請求項１０】
再生の中断された番組およびその番組の再生が中断された中断位置の情報を、番組ごとの再生履歴として管理する再生履歴管理部をさらに備え、
前記録画番組情報分類部は、前記再生履歴管理部を参照して、前記再生を中断された番組と再生を中断されてない番組とを分類し、
前記録画番組情報提示部は、前記分類の結果から、前記再生を中断された番組を、再生を中断されてない番組に対してユーザが識別できる態様で提示し、
前記再生指示部は、前記再生を中断された番組のうちの１つがユーザにより選択されたときに、前記中断位置またはその付近から前記選択された番組を再生するための再生指示を前記ＴＶ番組録画装置に与えることを特徴とする請求項１から請求項６のいずれかに記載の情報処理端末。
【請求項１１】
前記再生履歴管理部は、前記再生を中断された番組および中断位置の情報に加えて、中断位置付近における静止画または動画から構成されるサムネイルの情報を管理し、
前記録画番組情報提示部は、前記再生履歴管理部を参照して、前記中断位置付近のサムネイルを表示するとともに、前記再生を中断した番組を提示することを特徴とする請求項１０に記載の情報処理端末。
【請求項１２】
ユーザにより指定された再生の開始位置の情報を、前記開始位置が指定された番組に対応付けて管理する指定位置管理部をさらに備え、
前記録画番組情報提示部は、前記指定位置管理部を参照し、前記開始位置が指定された番組を、前記再生開始位置が指定されていない番組に対してユーザが識別できる態様で提示し、
前記再生指示部は、前記開始位置が管理されている番組のうちの１つがユーザにより選択されたときに、ユーザの指示により前記開始位置またはその付近から前記選択された番組を再生するための再生指示を前記ＴＶ番組録画装置に与えることを特徴とする請求項１から請求項１１のいずれかに記載の情報処理端末。
【請求項１３】
前記指定位置管理部は、前記開始位置付近における番組の静止画または動画から構成されるサムネイルの情報を、前記開始位置が指定された番組に対応付けて管理し、
前記録画番組情報提示部は、前記指定位置管理部を参照して前記開始位置付近のサムネイルを表示するとともに、前記開始位置を指定した番組を提示することを特徴とする請求項１２に記載の情報処理端末。
【請求項１４】
前記指定位置管理部は、ユーザにより指定された再生の終了位置の情報を、前記開始位置が指定された番組に対応付けて管理し、
前記再生指示部は、指定位置管理部を参照し、前記終了位置が管理されている場合には、前記選択された番組の再生を前記終了位置で終了させることを特徴とする請求項１２または請求項１３に記載の情報処理端末。
【請求項１５】
前記指定位置管理部は、放送日時および放送チャンネルの情報を用いて、前記開始位置または終了位置の管理を行うことを特徴とする請求項１２または請求項１３に記載の情報処理端末。
【請求項１６】
前記指定位置管理部は、他の情報処理端末から受信した前記開始位置、または開始および終了位置の情報を前記開始位置、または開始および終了位置の指定があった番組に対応付けて管理することを特徴とする請求項１２に記載の情報処理端末。
【請求項１７】
ブラウザを起動し、取得したハイパーメディアの情報を提示するブラウザ起動部を更に有し、
前記ブラウザ起動部は、前記ハイパーメディアの情報が番組へのリンク情報を含む場合には、前記ハイパーメディアの情報が提示される際に、番組を選択可能に提示し、
前記再生指示部は、前記番組へのリンク情報に基づき、ユーザにより選択された番組の再生指示を直接または間接的にＴＶ番組録画装置に与えることを特徴とする請求項１から請求項１６のいずれかに記載の情報処理端末。
【請求項１８】
ブラウザを起動し、取得したハイパーメディアの情報を提示するブラウザ起動部を更に有し、
前記録画番組情報提示部は、前記録画番組情報がハイパーメディアへのリンク情報を含む場合には、前記録画番組情報が提示される際に、ハイパーメディアを選択可能に提示し、
前記ブラウザ起動部は、前記ハイパーメディアへのリンク情報に基づき、ユーザにより選択されたハイパーメディアの情報を取得し、表示することを特徴とする請求項１から請求項１７のいずれかに記載の情報処理端末。
【請求項１９】
ＴＶ放送された番組のデータをコンテンツとして蓄積し、管理するコンテンツ管理部と、
前記データが蓄積されている番組に関する情報を収集する番組情報収集部と、
前記取得された番組に関する情報および、蓄積されている番組のデータ、または蓄積の予約をされた番組に係る情報に基づいて、受信先の環境によらずハイパーメディアの情報とともに同一のインタフェース上で提示可能な形式で録画番組情報を生成する録画情報生成部を備え、
請求項１から請求項１８記載の情報処理端末からの要求に応じ、前記生成された録画番組情報を送信することを特徴とするＴＶ番組録画装置。
【請求項２０】
前記番組情報収集部は、前記データが蓄積されている番組に関する情報として、ＥＰＧ情報を収集し、
前記録画情報生成部は、前記取得されたＥＰＧ情報を利用して録画番組情報を生成することを特徴とする請求項１９記載のＴＶ番組録画装置。
【請求項２１】
ＴＶ番組録画装置に録画される録画番組の情報であって前記ＴＶ番組録画装置に固有な録画番組情報またはハイパーメディアの更新情報を取得するためにコンテンツソースごとに管理される取得先情報に基づいて、自動的に前記取得先にアクセスし、前記録画番組情報および前記更新情報を取得するステップと、
前記録画番組情報により特定される各番組をそれぞれの属するカテゴリに分類するステップと、
前記各番組の属するカテゴリを表示し、かつ前記各番組を選択可能に提示するとともに、前記ハイパーメディアの情報を前記各番組の提示と同一のインタフェース上で選択可能に提示するステップと、
前記提示された番組のうちユーザにより選択された番組の再生指示を、直接または間接的に前記ＴＶ番組録画装置に与えるステップと、
前記再生指示を受けたＴＶ番組録画装置により、いずれかの再生装置に前記選択された番組のデータを配信させ、番組を再生させるステップと、
ユーザにより前記ハイパーメディアの情報が選択された場合には、ブラウザを起動し前記選択された情報に係る取得先にアクセスするステップと、を含むことを特徴とする情報処理方法。
【請求項２２】
ＴＶ番組録画装置に録画される録画番組の情報であって前記ＴＶ番組録画装置に固有な録画番組情報またはハイパーメディアの更新情報を取得するためにコンテンツソースごとに管理される取得先情報に基づいて、自動的に前記取得先にアクセスし、前記録画番組情報および前記更新情報を取得する録画番組情報取得処理と、
前記録画番組情報により特定される各番組をそれぞれの属するカテゴリに分類する録画番組分類処理と、
前記各番組の属するカテゴリを表示し、かつ前記各番組を選択可能に提示するとともに、前記ハイパーメディアの情報を前記各番組の提示と同一のインタフェース上で選択可能に提示する録画番組提示処理と、
前記提示された番組のうちユーザにより選択された番組の再生指示を、直接または間接的に前記ＴＶ番組録画装置に与える再生指示処理と、を情報処理端末内のコンピュータに実行させることで、
前記情報処理端末を用いて、前記再生指示を受けたＴＶ番組録画装置に、いずれかの再生装置に前記選択された番組のデータを配信させ、番組を再生させ、
ユーザにより前記ハイパーメディアの情報が選択された場合には、ブラウザを起動し前記選択された情報に係る取得先にアクセスすることを特徴とする情報処理プログラム。
【国際調査報告】
2008075618.tif 000028
2008075618.tif 000029
2008075618.tif 000030
2008075618.tif 000031